(57)【要約】  情報処理装置（１００）は、第１蓄電池を有していて電力の売り手となる第１ユーザと、第２蓄電池を有していて電力の買い手となる第２ユーザとの間で売買される契約電力量を含む契約情報を取得する取得部（１０２）と、第１蓄電池から第２蓄電池に電力を移動させたときの、第１蓄電池の放電量または第２蓄電池の充電量に関する充放電量情報を受信する受信部（１０４）と、充放電量情報を用いて、契約電力量の電力の移動が完了したか否かを判断する判断部（１０６）と、取得部（１０２）が取得した契約情報を、第１ユーザ端末または第２ユーザ端末に表示させ、かつ、契約電力量の電力の移動が完了したと判断されたときに、その旨を示す情報を第１ユーザ端末または第２ユーザ端末に表示させる表示部（１０８）と、を備える。
2018042787.tif 000002
【特許請求の範囲】
【請求項１】
第１蓄電池を有していて電力の売り手となる第１ユーザと、第２蓄電池を有していて前記電力の買い手となる第２ユーザと、の間で売買される契約電力量を含む契約情報を取得する取得手段と、
前記第１蓄電池から前記第２蓄電池に電力を移動させたときの、前記第１蓄電池の放電量および前記第２蓄電池の放電充電量の少なくとも一方に関する充放電情報を受信する受信手段と、
前記充放電情報を用いて、前記契約電力量の電力の移動が完了したか否かを判断する判断手段と、
前記取得手段が取得した前記契約情報を、前記第１ユーザの端末および前記第２ユーザの端末の少なくとも一方に表示させ、かつ、前記契約電力量の電力の移動が完了したと判断されたときに、その旨を示す情報を前記第１ユーザの端末および前記第２ユーザの端末の少なくとも一方に表示させる表示手段と、
を備える情報処理装置。
【請求項２】
請求項１に記載の情報処理装置において、
前記受信手段は、前記第１蓄電池の放電量を測定する測定装置および前記第２蓄電池の充電量を測定する測定装置の少なくとも一方から前記放電量および前記充電量の少なくとも一方を示す充放電情報を受信する情報処理装置。
【請求項３】
請求項１または２に記載の情報処理装置において、
前記第１蓄電池から前記第２蓄電池への前記契約電力量の電力の移動が可能か否かを判定する可否判定手段を備え、
前記電力の移動が可能と判定された場合に、前記表示手段は、前記第１ユーザの端末および前記第２ユーザの端末の少なくとも一方に、前記契約情報に基づく契約成立を確定する契約画面を表示させる情報処理装置。
【請求項４】
請求項１から３いずれか一項に記載の情報処理装置において、
前記受信手段は、前記第１蓄電池の単位時間当たりの自家消費電力量、および前記第１蓄電池の定格出力および蓄電量を示す蓄電池情報をさらに受信し、
前記第１蓄電池の前記自家消費電力量、および前記蓄電池情報に基づいて、前記第１蓄電池の放電可能容量を推定する推定手段をさらに備え、
前記表示手段は、推定された前記第１蓄電池の前記放電可能容量を、前記第１ユーザの端末および前記第２ユーザの端末の少なくとも一方に表示させる情報処理装置。
【請求項５】
請求項３または４に記載の情報処理装置において、
前記可否判定手段は、前記第１蓄電池の放電可能容量が売買希望容量よりも大きい場合に、前記契約電力量の電力の移動が可能であると判定する情報処理装置。
【請求項６】
請求項３から５いずれか一項に記載の情報処理装置において、
前記可否判定手段は、前記第２蓄電池の充電可能容量が売買希望容量よりも大きい場合に、前記契約電力量の電力の移動が可能であると判定する情報処理装置。
【請求項７】
請求項３から６いずれか一項に記載の情報処理装置において、
前記契約画面において契約成立が確定すると、前記第１蓄電池および前記第２蓄電池を制御する充放電制御装置に、前記契約情報に従い、充放電の開始を指示する制御手段をさらに備える情報処理装置。
【請求項８】
請求項３から７いずれか一項に記載の情報処理装置において、
前記受信手段は、前記第１蓄電池の単位時間当たりの放電能力および前記第２蓄電池の単位時間当たりの充電能力の少なくとも一方を示す情報を受信し、
前記第１蓄電池の前記放電能力および前記第２蓄電池の前記充電能力の少なくとも一方を示す情報に基づいて、前記第１蓄電池が前記契約電力量の放電を完了するのにかかる放電所要時間および、前記第２蓄電池が前記契約電力量の充電を完了するのにかかる充電所要時間の少なくとも一方を算出する所要時間算出手段をさらに備え、
前記表示手段は、算出された前記放電所要時間および前記充電所要時間の少なくとも一方を、前記第１ユーザの端末および前記第２ユーザの端末の少なくとも一方に表示させる情報処理装置。
【請求項９】
請求項１から８いずれか一項に記載の情報処理装置において、
前記受信手段により受信した前記充放電情報に基づいて、前記第１蓄電池から前記第２蓄電池に移動済みの電力量が前記契約電力量に占める割合を算出する算出手段をさらに備え、
前記表示手段は、前記第１ユーザの端末および前記第２ユーザの端末の少なくとも一方に、前記移動済みの電力量が前記契約電力量に占める割合を示す情報を表示させる情報処理装置。
【請求項１０】
請求項９に記載の情報処理装置において、
前記表示手段は、前記第１ユーザの端末に、前記第１蓄電池の前記放電量が前記契約電力量に占める割合を示す情報を表示させ、かつ、前記第２ユーザの端末に、前記第２蓄電池の充電量が前記契約電力量に占める割合を示す情報を表示させる情報処理装置。
【請求項１１】
請求項９または１０に記載の情報処理装置において、
前記表示手段は、前記第１ユーザの端末および前記第２ユーザの端末の少なくとも一方に、前記第１蓄電池の前記放電量が前記契約電力量に占める割合を示す情報を表示させる情報処理装置。
【請求項１２】
請求項９から１１いずれか一項に記載の情報処理装置において、
前記表示手段は、前記第１ユーザの端末および前記第２ユーザの端末の少なくとも一方に、前記第２蓄電池の前記充電量が前記契約電力量に占める割合を示す情報を表示させる情報処理装置。
【請求項１３】
請求項１から１２いずれか一項に記載の情報処理装置において、
前記判断手段は、前記第２蓄電池の前記充電量を示す情報を用いて前記契約電力量の電力の移動が完了したか否かを判断する情報処理装置。
【請求項１４】
請求項１から１３いずれか一項に記載の情報処理装置において、
前記判断手段は、前記第１蓄電池の前記放電量を示す情報を用いて前記契約電力量の電力の移動が完了したか否かを判断する情報処理装置。
【請求項１５】
請求項１から１４いずれか一項に記載の情報処理装置において、
前記契約電力量の電力の移動が完了したと判断されると、前記電力の売買の対価として、前記第１ユーザに付与されるインセンティブを示す情報を出力する出力手段をさらに備える情報処理装置。
【請求項１６】
請求項１から１５いずれか一項に記載の情報処理装置において、
前記受信手段は、前記第１蓄電池の充放電の状況を示す情報を受信し、
前記第１蓄電池が放電停止中の場合、前記第１ユーザの端末および前記第２ユーザの端末のいずれか一方に、前記第１蓄電池からの放電が停止中であることを示す情報を表示させる情報処理装置。
【請求項１７】
情報処理装置が、
第１蓄電池を有していて電力の売り手となる第１ユーザと、第２蓄電池を有していて前記電力の買い手となる第２ユーザと、の間で売買される契約電力量を含む契約情報を取得し、
前記第１蓄電池から前記第２蓄電池に電力を移動させたときの、前記第１蓄電池の放電量および前記第２蓄電池の充電量の少なくとも一方に関する充放電情報を受信し、
前記充放電情報を用いて、前記契約電力量の電力の移動が完了したか否かを判断し、
取得した前記契約情報を、前記第１ユーザの端末および前記第２ユーザの端末の少なくとも一方に表示させ、かつ、前記契約電力量の電力の移動が完了したと判断されたときに、その旨を示す情報を前記第１ユーザの端末および前記第２ユーザの端末の少なくとも一方に表示させる、情報処理方法。
【請求項１８】
請求項１７に記載の情報処理方法において、
前記情報処理装置が、
前記第１蓄電池の放電量を測定する測定装置および前記第２蓄電池の充電量を測定する測定装置の少なくとも一方から前記放電量および前記充電量の少なくとも一方を示す充放電情報を受信する情報処理方法。
【請求項１９】
請求項１７または１８に記載の情報処理方法において、
前記情報処理装置が、
前記第１蓄電池から前記第２蓄電池への前記契約電力量の電力の移動が可能か否かを判定し、
前記電力の移動が可能と判定された場合に、前記第１ユーザの端末および前記第２ユーザの端末の少なくとも一方に、前記契約情報に基づく契約成立を確定する契約画面を表示させる情報処理方法。
【請求項２０】
請求項１７から１９いずれか一項に記載の情報処理方法において、
前記情報処理装置が、
前記第１蓄電池の単位時間当たりの自家消費電力量、および前記第１蓄電池の定格出力および蓄電量を示す蓄電池情報をさらに受信し、
前記第１蓄電池の前記自家消費電力量、および前記蓄電池情報に基づいて、前記第１蓄電池の放電可能容量を推定し、
推定された前記第１蓄電池の前記放電可能容量を、前記第１ユーザの端末および前記第２ユーザの端末の少なくとも一方に表示させる情報処理方法。
【請求項２１】
請求項１９または２０に記載の情報処理方法において、
前記情報処理装置が、
前記第１蓄電池の放電可能容量が売買希望容量よりも大きい場合に、前記契約電力量の電力の移動が可能であると判定する情報処理方法。
【請求項２２】
請求項１９から２１いずれか一項に記載の情報処理方法において、
前記情報処理装置が、
前記第２蓄電池の充電可能容量が売買希望容量よりも大きい場合に、前記契約電力量の電力の移動が可能であると判定する情報処理方法。
【請求項２３】
請求項１９から２２いずれか一項に記載の情報処理方法において、
前記情報処理装置が、さらに、
前記契約画面において契約成立が確定すると、前記第１蓄電池および前記第２蓄電池を制御する充放電制御装置に、前記契約情報に従い、充放電の開始を指示する情報処理方法。
【請求項２４】
請求項１９から２３いずれか一項に記載の情報処理方法において、
前記情報処理装置が、さらに、
前記第１蓄電池の単位時間当たりの放電能力および前記第２蓄電池の単位時間当たりの充電能力の少なくとも一方を示す情報を受信し、
前記第１蓄電池の前記放電能力および前記第２蓄電池の前記充電能力の少なくとも一方を示す情報に基づいて、前記第１蓄電池が前記契約電力量の放電を完了するのにかかる放電所要時間および、前記第２蓄電池が前記契約電力量の充電を完了するのにかかる充電所要時間の少なくとも一方を算出し、
算出された前記放電所要時間および前記充電所要時間の少なくとも一方を、前記第１ユーザの端末および前記第２ユーザの端末の少なくとも一方に表示させる情報処理方法。
【請求項２５】
請求項１７から２４いずれか一項に記載の情報処理方法において、
前記情報処理装置が、さらに、
受信した前記充放電情報に基づいて、前記第１蓄電池から前記第２蓄電池に移動済みの電力量が前記契約電力量に占める割合を算出し、
前記第１ユーザの端末および前記第２ユーザの端末の少なくとも一方に、前記移動済みの電力量が前記契約電力量に占める割合を示す情報を表示させる情報処理方法。
【請求項２６】
請求項２５に記載の情報処理方法において、
前記情報処理装置が、
前記第１ユーザの端末に、前記第１蓄電池の前記放電量が前記契約電力量に占める割合を示す情報を表示させ、かつ、前記第２ユーザの端末に、前記第２蓄電池の充電量が前記契約電力量に占める割合を示す情報を表示させる情報処理方法。
【請求項２７】
請求項２５または２６に記載の情報処理方法において、
前記情報処理装置が、
前記第１ユーザの端末および前記第２ユーザの端末の少なくとも一方に、前記第１蓄電池の前記放電量が前記契約電力量に占める割合を示す情報を表示させる情報処理方法。
【請求項２８】
請求項２５から２７いずれか一項に記載の情報処理方法において、
前記情報処理装置が、
前記第１ユーザの端末および前記第２ユーザの端末の少なくとも一方に、前記第２蓄電池の前記充電量が前記契約電力量に占める割合を示す情報を表示させる情報処理方法。
【請求項２９】
請求項１７から２８いずれか一項に記載の情報処理方法において、
前記情報処理装置が、
前記第２蓄電池の前記充電量を示す情報を用いて前記契約電力量の電力の移動が完了したか否かを判断する情報処理方法。
【請求項３０】
請求項１７から２９いずれか一項に記載の情報処理方法において、
前記情報処理装置が、
前記第１蓄電池の前記放電量を示す情報を用いて前記契約電力量の電力の移動が完了したか否かを判断する情報処理方法。
【請求項３１】
請求項１７から３０いずれか一項に記載の情報処理方法において、
前記情報処理装置が、さらに、
前記契約電力量の電力の移動が完了したと判断されると、前記電力の売買の対価として、前記第１ユーザに付与されるインセンティブを示す情報を出力する情報処理方法。
【請求項３２】
請求項１７から３１いずれか一項に記載の情報処理方法において、
前記情報処理装置が、
前記第１蓄電池の充放電の状況を示す情報を受信し、
前記第１蓄電池が放電停止中の場合、前記第１ユーザの端末および前記第２ユーザの端末のいずれか一方に、前記第１蓄電池からの放電が停止中であることを示す情報を表示させる情報処理方法。
【請求項３３】
コンピュータに、
第１蓄電池を有していて電力の売り手となる第１ユーザと、第２蓄電池を有していて前記電力の買い手となる第２ユーザと、の間で売買される契約電力量を含む契約情報を取得する手順、
前記第１蓄電池から前記第２蓄電池に電力を移動させたときの、前記第１蓄電池の放電量および前記第２蓄電池の充電量の少なくとも一方に関する充放電情報を受信する手順、
前記充放電情報を用いて、前記契約電力量の電力の移動が完了したか否かを判断する手順、
取得した前記契約情報を、前記第１ユーザの端末および前記第２ユーザの端末の少なくとも一方に表示させ、かつ、前記契約電力量の電力の移動が完了したと判断されたときに、その旨を示す情報を前記第１ユーザの端末および前記第２ユーザの端末の少なくとも一方に表示させる手順を実行させるためのプログラム。
【請求項３４】
請求項３３に記載のプログラムにおいて、
前記第１蓄電池の放電量を測定する測定装置および前記第２蓄電池の充電量を測定する測定装置の少なくとも一方から前記放電量および前記充電量の少なくとも一方を示す充放電情報を受信する手順をコンピュータに実行させるためのプログラム。
【請求項３５】
請求項３３または３４に記載のプログラムにおいて、
前記第１蓄電池から前記第２蓄電池への前記契約電力量の電力の移動が可能か否かを判定する手順、
前記電力の移動が可能と判定された場合に、前記第１ユーザの端末および前記第２ユーザの端末の少なくとも一方に、前記契約情報に基づく契約成立を確定する契約画面を表示させる手順をコンピュータに実行させるためのプログラム。
【請求項３６】
請求項３３から３５いずれか一項に記載のプログラムにおいて、
さらに、
前記第１蓄電池の単位時間当たりの自家消費電力量、および前記第１蓄電池の定格出力および蓄電量を示す蓄電池情報をさらに受信する手順、
前記第１蓄電池の前記自家消費電力量、および前記蓄電池情報に基づいて、前記第１蓄電池の放電可能容量を推定する手順、
推定された前記第１蓄電池の前記放電可能容量を、前記第１ユーザの端末および前記第２ユーザの端末の少なくとも一方に表示させる手順をコンピュータに実行させるためのプログラム。
【請求項３７】
請求項３５または３６に記載のプログラムにおいて、
前記第１蓄電池の放電可能容量が売買希望容量よりも大きい場合に、前記契約電力量の電力の移動が可能であると判定する手順をコンピュータに実行させるためのプログラム。
【請求項３８】
請求項３５から３７いずれか一項に記載のプログラムにおいて、
前記第２蓄電池の充電可能容量が売買希望容量よりも大きい場合に、前記契約電力量の電力の移動が可能であると判定する手順をコンピュータに実行させるためのプログラム。
【請求項３９】
請求項３５から３８いずれか一項に記載のプログラムにおいて、
前記契約画面において契約成立が確定すると、前記第１蓄電池および前記第２蓄電池を制御する充放電制御装置に、前記契約情報に従い、充放電の開始を指示する手順をさらにコンピュータに実行させるためのプログラム。
【請求項４０】
請求項３５から３９いずれか一項に記載のプログラムにおいて、
さらに、
前記第１蓄電池の単位時間当たりの放電能力および前記第２蓄電池の単位時間当たりの充電能力の少なくとも一方を示す情報を受信する手順、
前記第１蓄電池の前記放電能力および前記第２蓄電池の前記充電能力の少なくとも一方を示す情報に基づいて、前記第１蓄電池が前記契約電力量の放電を完了するのにかかる放電所要時間および、前記第２蓄電池が前記契約電力量の充電を完了するのにかかる充電所要時間の少なくとも一方を算出する手順、
算出された前記放電所要時間および前記充電所要時間の少なくとも一方を、前記第１ユーザの端末および前記第２ユーザの端末の少なくとも一方に表示させる手順をコンピュータに実行させるためのプログラム。
【請求項４１】
請求項３３から４０いずれか一項に記載のプログラムにおいて、
さらに、
受信した前記充放電情報に基づいて、前記第１蓄電池から前記第２蓄電池に移動済みの電力量が前記契約電力量に占める割合を算出する手順、
前記第１ユーザの端末および前記第２ユーザの端末の少なくとも一方に、前記移動済みの電力量が前記契約電力量に占める割合を示す情報を表示させる手順をコンピュータに実行させるための手順をコンピュータに実行させるためのプログラム。
【請求項４２】
請求項４１に記載のプログラムにおいて、
前記第１ユーザの端末に、前記第１蓄電池の前記放電量が前記契約電力量に占める割合を示す情報を表示させ、かつ、前記第２ユーザの端末に、前記第２蓄電池の充電量が前記契約電力量に占める割合を示す情報を表示させる手順をコンピュータに実行させるためのプログラム。
【請求項４３】
請求項４１または４２に記載のプログラムにおいて、
前記第１ユーザの端末および前記第２ユーザの端末の少なくとも一方に、前記第１蓄電池の前記放電量が前記契約電力量に占める割合を示す情報を表示させる手順をコンピュータに実行させるためのプログラム。
【請求項４４】
請求項４１から４３いずれか一項に記載のプログラムにおいて、
前記第１ユーザの端末および前記第２ユーザの端末の少なくとも一方に、前記第２蓄電池の前記充電量が前記契約電力量に占める割合を示す情報を表示させる手順をコンピュータに実行させるためのプログラム。
【請求項４５】
請求項３３から４４いずれか一項に記載のプログラムにおいて、
前記第２蓄電池の前記充電量を示す情報を用いて前記契約電力量の電力の移動が完了したか否かを判断する手順をコンピュータに実行させるためのプログラム。
【請求項４６】
請求項３３から４５いずれか一項に記載のプログラムにおいて、
前記第１蓄電池の前記放電量を示す情報を用いて前記契約電力量の電力の移動が完了したか否かを判断する手順をコンピュータに実行させるためのプログラム。
【請求項４７】
請求項３３から４６いずれか一項に記載のプログラムにおいて、
前記契約電力量の電力の移動が完了したと判断されると、前記電力の売買の対価として、前記第１ユーザに付与されるインセンティブを示す情報を出力する手順をさらにコンピュータに実行させるためのプログラム。
【請求項４８】
請求項３３から４７いずれか一項に記載のプログラムにおいて、
前記第１蓄電池の充放電の状況を示す情報を受信する手順、
前記第１蓄電池が放電停止中の場合、前記第１ユーザの端末および前記第２ユーザの端末のいずれか一方に、前記第１蓄電池からの放電が停止中であることを示す情報を表示させる手順をコンピュータに実行させるためのプログラム。
【発明の詳細な説明】
【技術分野】
【０００１】
本発明は、情報処理装置、情報処理方法、およびプログラムに関し、特に、ユーザ間の電力移動に関する情報を表示する情報処理装置、情報処理方法、およびプログラムに関する。
【背景技術】
【０００２】
特許文献１から３には、電力の売買取引に関する技術が記載されている。
特許文献１には、電力取引に関する情報を各種の図式表現で視覚化した画面を表示する装置が記載されている。この装置は、ある拠点において太陽光発電した電力を他の拠点に提供する取引状況を、各拠点の位置関係を示す画面や、各拠点の電力量の増減を棒グラフで示す画面で表示する。【０００３】
特許文献２には、売電者と買電者間の電力託送による電力売買の契約および運用を管理する電力売買契約管理システムが記載されている。特許文献３には、電力の売買が可能な環境において、取引者が必要な時に所定の安定性を有して自由に取引を行うことができるとともに、電力の安定需給を可能にする電力取引仲介に関する技術が記載されている。
【先行技術文献】
【特許文献】
【０００４】
【特許文献１】特開２０１２−０７３７７６号公報
【特許文献２】特開２００９−０２０６７４号公報
【特許文献３】特開２００２−０５６２２５号公報
【発明の概要】
【発明が解決しようとする課題】
【０００５】
電力には経済的な価値があるため、売買の対象となり得る。一方、電力を直接売買するためには、たとえば売り手の蓄電池から放電し、かつ買い手の蓄電池に蓄電する必要がある。しかし、一般的に、蓄電池の充電速度および放電速度には上限がある。このため、電力の売買契約が成立し、電力の移動を開始しても、この移動が完了するまでには時間を要する。本発明者は、電力を直接売買することを普及させるためには、売買契約に伴う電力の移動量を当事者に分かりやすく通知する必要がある、と考えた。【０００６】
本発明は上記事情に鑑みてなされたものであり、その目的とするところは、電力を売買する場合において、売買に伴った電力の移動状況をユーザに通知する技術を提供することにある。
【課題を解決するための手段】
【０００７】
本発明の各側面では、上述した課題を解決するために、それぞれ以下の構成を採用する。【０００８】
第一の側面は、情報処理装置に関する。
第一の側面に係る情報処理装置は、
第１蓄電池を有していて電力の売り手となる第１ユーザと、第２蓄電池を有していて前記電力の買い手となる第２ユーザと、の間で売買される契約電力量を含む契約情報を取得する取得手段と、
前記第１蓄電池から前記第２蓄電池に電力を移動させたときの、前記第１蓄電池の放電量および前記第２蓄電池の充電量の少なくとも一方に関する充放電情報を受信する受信手段と、
前記充放電情報を用いて、前記契約電力量の電力の移動が完了したか否かを判断する判断手段と、
前記取得手段が取得した前記契約情報を、前記第１ユーザの端末および前記第２ユーザの端末の少なくとも一方に表示させ、かつ、前記契約電力量の電力の移動が完了したと判断されたときに、その旨を示す情報を前記第１ユーザの端末および前記第２ユーザの端末の少なくとも一方に表示させる表示手段と、を有する。【０００９】
第二の側面は、少なくとも１つのコンピュータにより実行される情報処理方法に関する。
第二の側面に係る情報処理方法は、
情報処理装置が、
第１蓄電池を有していて電力の売り手となる第１ユーザと、第２蓄電池を有していて前記電力の買い手となる第２ユーザと、の間で売買される契約電力量を含む契約情報を取得し、
前記第１蓄電池から前記第２蓄電池に電力を移動させたときの、前記第１蓄電池の放電量および前記第２蓄電池の充電量の少なくとも一方に関する充放電情報を受信し、
前記充放電情報を用いて、前記契約電力量の電力の移動が完了したか否かを判断し、
取得した前記契約情報を、前記第１ユーザの端末および前記第２ユーザの端末の少なくとも一方に表示させ、かつ、前記契約電力量の電力の移動が完了したと判断されたときに、その旨を示す情報を前記第１ユーザの端末および前記第２ユーザの端末の少なくとも一方に表示させる、ことを含む。【００１０】
なお、本発明の他の側面としては、上記第二の側面の方法を少なくとも１つのコンピュータに実行させるプログラムであってもよいし、このようなプログラムを記録したコンピュータが読み取り可能な記録媒体であってもよい。この記録媒体は、非一時的な有形の媒体を含む。
このコンピュータプログラムは、コンピュータにより実行されたとき、コンピュータに、情報処理装置上で、その情報処理方法を実施させるコンピュータプログラムコードを含む。【００１１】
なお、以上の構成要素の任意の組合せ、本発明の表現を方法、装置、システム、記録媒体、コンピュータプログラムなどの間で変換したものもまた、本発明の態様として有効である。【００１２】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。【００１３】
また、本発明の方法およびコンピュータプログラムには複数の手順を順番に記載してあるが、その記載の順番は複数の手順を実行する順番を限定するものではない。このため、本発明の方法およびコンピュータプログラムを実施するときには、その複数の手順の順番は内容的に支障のない範囲で変更することができる。【００１４】
さらに、本発明の方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【発明の効果】
【００１５】
上記各側面によれば、電力を売買する場合において、売買に伴った電力の移動状況をユーザに通知する情報処理装置、情報処理方法、およびプログラムを提供することができる。
【図面の簡単な説明】
【００１６】
上述した目的、およびその他の目的、特徴および利点は、以下に述べる好適な実施の形態、およびそれに付随する以下の図面によってさらに明らかになる。【００１７】
【図１】本発明の実施の形態に係る情報処理装置の構成を論理的に示す機能ブロック図である。
【図２】本実施形態の情報処理装置を含む情報処理システムのシステム構成を概念的に示す図である。
【図３】情報処理システムの各装置を実現するコンピュータの構成の一例を示す図である。
【図４】本実施形態の情報処理装置の構成を部分的に示す機能ブロック図である。
【図５】本実施形態の蓄電池情報記憶部のデータ構造の一例を示す図である。
【図６】本実施形態の蓄電池状態情報記憶部のデータ構造の一例を示す図である。
【図７】本実施形態の契約情報記憶部のデータ構造の一例を示す図である。
【図８】本実施形態の充放電情報記憶部のデータ構造の一例を示す図である。
【図９】本実施形態の充放電量記憶部および充放電量情報記憶部のデータ構造の一例を示す図である。
【図１０】本実施形態のユーザ情報記憶部のデータ構造の一例を示す図である。
【図１１】本実施形態の情報処理装置の動作の一例を示すフローチャートである。
【図１２】本実施形態の情報処理システムの各装置の動作フローの一例を示す図ある。
【図１３】本実施形態の電力取引画面の例を示す図である。
【図１４】本実施形態の商品選択画面の例を示す図である。
【図１５】本実施形態の電力換算情報記憶部のデータ構造の一例を示す図である。
【図１６】本実施形態の契約内容確認画面および取引確認画面の例を示す図である。
【図１７】本実施形態の画面表示を説明するために図である。
【図１８】図１２の動作フローの続きを示す図である。
【図１９】本実施形態の取引確認画面の例を示す図である。
【図２０】本実施形態の画面表示方法を説明するために図である。
【図２１】電力取引画面の他の例を示す図である。
【図２２】取引確認画面の他の例を示す図である。
【図２３】本実施形態の売電条件記憶部および買電条件記憶部のデータ構造の一例を示す図である。
【発明を実施するための形態】
【００１８】
以下、本発明の実施の形態について、図面を用いて説明する。尚、すべての図面において、同様な構成要素には同様の符号を付し、適宜説明を省略する。
【００１９】
（第１の実施の形態）
本発明の第１の実施の形態に係る情報処理装置、情報処理方法およびプログラムについて、以下説明する。
図１は、本発明の実施の形態に係る情報処理装置１００の構成を論理的に示す機能ブロック図である。図２は、本発明の実施の形態に係る情報処理装置１００を含む情報処理システム１のシステム構成を概念的に示す図である。
【００２０】
＜情報処理システム１＞
はじめに、図２を用いて、情報処理システム１について説明する。
情報処理システム１は、サーバ１０と、電力の売り手となる第１ユーザＵａの第１電力システム２０と、電力の買い手となる第２ユーザＵｂの第２電力システム３０と、を含む。第１電力システム２０および第２電力システム３０は、いずれも電力系統４０に接続している。
【００２１】
第１ユーザＵａは、たとえば、店舗７０やネットショッピングで商品やサービスを購入する顧客（個人または団体）である。たとえば、第１ユーザＵａは、購入代金の支払いの少なくとも一部を電力で支払うことができる。あるいは、第１ユーザＵａは、第２ユーザＵｂに電力を売ることで、第２ユーザＵｂから店舗７０やネットショッピングで利用可能なポイント等を受け取ることができる。
【００２２】
第２ユーザＵｂは、第１ユーザＵａに商品やサービスを販売するもの（人または企業等）である。具体的には、第２ユーザＵｂは、店舗７０（ネットショッピングを含む）の店員（従業員）や管理者（経営者等を含む）であってもよいし、企業または各店舗７０等の組織であってもよい。
【００２３】
また、第１ユーザＵａと第２ユーザＵｂは共に個人であってもよいし、共に企業または組織であってもよい。
【００２４】
サーバ１０は、第１ユーザＵａと第２ユーザＵｂの間の電力の売買契約に関するサービスを提供する。
【００２５】
第２ユーザＵｂは、買電条件（たとえば、買電希望電力量、買電対価等）を予め情報処理システム１に登録しておいてもよい。この場合、第１ユーザＵａは、第２ユーザＵｂが予め登録した買電条件を確認し、その買電条件が許容できる場合には、第２ユーザＵｂとの間で電力の売買契約を結ぶ。この際、第２ユーザＵｂは、買電条件を登録した後、処理を行わなくてもよい。
【００２６】
逆に、第１ユーザＵａが売電条件（たとえば、売電希望電力量、売電対価等）を予め情報処理システム１に登録しておいてもよい。この場合、第２ユーザＵｂは、第１ユーザＵａが予め登録した売電条件を確認し、その売電条件が許容できる場合には、第１ユーザＵａとの間で電力の売買契約を結ぶ。この際、第１ユーザＵａは、売電条件を登録した後、処理を行わなくてもよい。
【００２７】
そして、サーバ１０は、たとえば第１ユーザＵａと第２ユーザＵｂの間で結ばれた売買契約に伴って電力を移動させるために、各ユーザの蓄電池を制御する。本実施形態のサーバ１０は、サービスプロバイダのサーバ装置として説明する。他の例として、サーバ１０は、電力会社、電力小売事業者、アグリゲータ等のサーバ装置であってもよい。サーバ１０は、図１の情報処理装置１００の一例である。
【００２８】
第１ユーザ端末５０は、第１ユーザＵａが利用する通信端末であり、たとえば、携帯電話機、スマートフォン、タブレット端末、ＰＤＡ（Personal Digital Assistants）、パーソナルコンピュータ等である。また、第１ユーザ端末５０は、ユーザの所有物であってもよいし、店舗７０等に設置されているもの、または、ユーザに貸与されるものであってもよい。
【００２９】
第２ユーザ端末６０は、第２ユーザＵｂが利用する通信端末であり、たとえば、レジ端末、携帯電話機、スマートフォン、タブレット端末、ＰＤＡ（Personal Digital Assistants）、パーソナルコンピュータ等である。
【００３０】
第２ユーザＵｂは店員で、第２ユーザ端末６０はレジ端末であってもよいが、本実施形態では、第２ユーザＵｂは店舗７０の電力売買の契約者（たとえば、店舗７０の経営者、責任者、管理者等）であり、第２ユーザ端末６０は、たとえば、店舗７０のパーソナルコンピュータ（ＰＣ：Personal Computer）として説明する。
【００３１】
サーバ１０は、ネットワーク３を介して、ＥＭＳ２４、ＨＥＭＳ２６、ＥＭＳ３４、ＨＥＭＳ３６、第１ユーザ端末５０、および第２ユーザ端末６０に接続される。
【００３２】
ネットワーク３は、ＬＴＥ（Long Term Evolution）、３Ｇ（3rd Generation）、４Ｇ（4th Generation）、ＷｉＭＡＸ（Worldwide Interoperability for Microwave Access）等の公衆回線網、ＬＡＮ（Local Area Network）、ＷＡＮ（Wide Area Network）、ＭＡＮ（Metropolitan Area Network）、ワイヤレスＭＡＮ、ＶＰＮ（Virtual Private Network）等の各種ネットワークを組み合わせてもよい。
【００３３】
図では１つのネットワーク３が示されているが、サーバ１０と接続される装置に応じて、異なる複数の通信網を組み合わせた複数のネットワーク３であってよい。また、接続形態は、有線および無線のいずれでもよく、組み合わせでもよい。
【００３４】
第１電力システム２０は、電池システム２２と、ＥＭＳ２４と、ＨＥＭＳ２６と、負荷２８とを含む。第２電力システム３０は、電池システム３２と、ＥＭＳ３４と、ＨＥＭＳ３６と、負荷３８とを含む。
【００３５】
電力系統４０と第１電力システム２０の間、および電力系統４０と第２電力システム３０の間には、いずれもスマートメータ４２が設けられている。スマートメータ４２は、電力系統４０と第１電力システム２０（または第２電力システム３０）の間を流れる電力を計測する電力量計を含んでいる。図中、電力系統４０と第１電力システム２０の間のスマートメータ４２をＳＭａと記載し、電力系統４０と第２電力システム３０の間のスマートメータ４２をＳＭｂと記載する。
【００３６】
各スマートメータ４２の電力量計により定期的に計測された計測値は、電力会社の管理サーバ（不図示）に所謂Ａルートで定期的に送信される。スマートメータＳＭａで計測された計測値等の情報は、ＨＥＭＳ２６に無線通信等により所謂Ｂルートで送信される。ＨＥＭＳ２６は、スマートメータＳＭａの計測値をサーバ１０に送信してもよい。スマートメータＳＭｂについても同様であり、計測値等の情報は、ＨＥＭＳ３６に無線通信等によりＢルートで送信される。ＨＥＭＳ３６は、スマートメータＳＭｂの計測値をサーバ１０に送信してもよい。
【００３７】
ＨＥＭＳ２６およびＨＥＭＳ３６は、さらに、ECHONET Lite認証に対応している、電池システム２２、電池システム３２、負荷２８、および負荷３８からそれぞれ情報を取得し、これらの情報をサーバ１０に送信してもよい。
【００３８】
電池システム２２および電池システム３２は、それぞれ、図示されない、少なくとも一つのリチウムイオン二次電池（lithium-ion rechargeable battery）（以下、「蓄電池」とも呼ぶ）と、リチウムイオン二次電池を管理するバッテリマネジメントユニット（Battery Management Unit：ＢＭＵ）とを含む。
【００３９】
各蓄電池は、それぞれ第１ユーザＵａおよび第２ユーザＵｂのＰＶ（Photovoltaics：太陽光発電）設備（不図示）等で生成される電力または電力系統４０から入力される電力を蓄電する。
【００４０】
各蓄電池に蓄電された電力は、それぞれ負荷２８および負荷３８により消費、または、電力系統４０に逆潮流（売電）される。
【００４１】
各蓄電池は、当該システムが充電可能な定格容量（ｋＷｈ）を有する。本実施形態では、第１ユーザＵａの蓄電池は、定格容量が６ｋＷｈであり、第２ユーザＵｂの蓄電池は、定格容量が２０ｋＷｈであるとする。本実施形態では、第１ユーザＵａの蓄電池の定格容量が第２ユーザＵｂの蓄電池の定格容量より小さい場合について説明するが、第１ユーザＵａの蓄電池の定格容量が第２ユーザＵｂの蓄電池の定格容量より大きい、または各蓄電池の定格容量が等しい場合も、本発明は同様に適用可能である。
【００４２】
本実施形態では、各ユーザの電力システムにおいて、ＥＭＳが電池システムの動作制御を行う。そして、ＨＥＭＳが電池システムおよび他の装置（負荷やスマートメータ）等から各種電力量値を取得しモニタする。サーバ１０は、ＨＥＭＳから各種電力量の情報を受信するとともに、ＥＭＳに電池システムの動作制御を指示する。
【００４３】
上記の例を含め、本発明の情報処理システム１の装置構成は、以下に例示されるが、これらに限定されない。
（ａ１）各ユーザがＥＭＳと電池システムとＨＥＭＳを含む３つの装置を用いる構成（本実施形態の構成例）
ＥＭＳとＨＥＭＳがそれぞれネットワーク３に接続される。ＥＭＳがサーバ１０の指示を受けて電池システムの動作を制御し、ＨＥＭＳが各種情報を取得してサーバ１０に送信する。
（ａ２）各ユーザがＥＭＳと電池システムが一体となった装置とＨＥＭＳを含む２つの装置を用いる構成
ＨＥＭＳと一体型装置を接続し、ＨＥＭＳがネットワーク３に接続される。ＨＥＭＳがサーバ１０の指示を受けて電池システムの動作を制御するとともに、各種情報を取得してサーバ１０に送信する。
（ａ３）各ユーザがＥＭＳとＨＥＭＳが一体となった装置と電池システムを含む２つの装置を用いる構成
一体型装置に電池システムを接続し、一体型装置がネットワーク３に接続される。一体型装置がサーバ１０の指示を受けて電池システムの動作を制御するとともに、各種情報を取得してサーバ１０に送信する。たとえば、ＨＥＭＳのファームウェアを更新して、本発明のＥＭＳ−ＨＥＭＳ一体型装置としての機能を追加してもよい。
（ａ４）サーバ１０にＥＭＳの機能を持たせる構成
各ユーザのＨＥＭＳと電池システムがネットワーク３に接続される。サーバと各ユーザのＨＥＭＳおよび電池システムとの間は、ゲートウェイを介して接続されてもよい。
ＥＭＳの機能を有するサーバ１０が、直接、電池システムの動作を制御してもよいし、ＨＥＭＳ経由で電池システムの動作を制御してもよい。また、ＨＥＭＳが各種情報を取得し、サーバ１０に送信する。
（ａ５）複数の電池システムに対して共有で利用できるＥＭＳを用いる構成
共有ＥＭＳが複数ユーザの電池システムにそれぞれ接続されるとともに、ネットワーク３に接続される。共有ＥＭＳがサーバ１０の指示を受けて複数ユーザの電池システムの動作をそれぞれ制御するとともに、各ユーザのＨＥＭＳから各種情報を取得してサーバ１０に送信する。共有ＥＭＳは、たとえば、電柱等の所定の場所に設置されてよい。
【００４４】
本実施形態では、第１ユーザＵａと第２ユーザＵｂの間で成立した電力の売買契約に基づいて、各蓄電池間の電力の移動を実現するために、サーバ１０から各ユーザのＥＭＳに充放電制御が指示される。たとえば、第１ユーザＵａから第２ユーザＵｂに売電される場合、第１ユーザＵａの蓄電池のＥＭＳには放電が指示され、第２ユーザＵｂの蓄電池のＥＭＳには充電が指示される。
【００４５】
ここで、第１ユーザＵａの蓄電池から放電される電力は、電力系統４０に逆潮流され、第２ユーザＵｂの蓄電池には、電力系統４０から電力が供給されて充電される。言い換えると、第１ユーザＵａの蓄電池から放電される電力が直接第２ユーザＵｂの蓄電池に充電されるのではなく、各々の蓄電池から契約内容に従った契約電力量の電力がそれぞれ電力系統４０に対して放電（逆潮流）および電力系統４０から充電（供給）される。
【００４６】
また、上述したように、第１ユーザＵａと第２ユーザＵｂの蓄電池の能力も様々であり、一定時間に放電できる電力量と充電できる電力量も異なる。
したがって、第１ユーザＵａの放電のタイミングと、第２ユーザＵｂの充電のタイミングは必ずしも同時でなくてもよく、個別に管理および制御されてよい。しかし、各蓄電池の能力に応じて充放電量を制御し、充放電のタイミングの同期をとる構成も排除されない。
【００４７】
たとえば、充放電のタイミングが以下に例示されるがこれらに限定されない。以下を組み合わせてもよい。
（ｂ１）充電と放電とが同期して制御される。
（ｂ２）充電量と放電量とが、３０分周期で同量となるように制御される。
（ｂ３）対応する充電量と放電量について、３０分などの周期に関わらず充電と放電とが異なるタイミングでそれぞれ制御される。
【００４８】
また、各ユーザの蓄電池は、ユーザの自宅や店舗等に設置されているもの以外に、複数ユーザで共有して利用される大型蓄電池のうち、ユーザが利用している少なくとも一部（たとえば、所定のセル区画など）であってもよい。この場合、ユーザが利用しているセル区画に対して制御するために必要な情報（たとえば、蓄電池のＥＭＳのＩＰ（Internet Protocol）アドレス、ユーザのセル区間の識別情報、およびセル区画にアクセスするための認証処理を行うのに必要な認証用のコード情報（パスワード等）等）をサーバ１０に予めユーザ登録しておく。あるいは、大型蓄電池の利用者へのサービスとして本システムの利用を提供してもよく、その場合、蓄電池の管理会社から合法的にセル区画とユーザに関する情報をサーバ１０が取得してもよい。
【００４９】
サーバ１０は、第１ユーザ端末５０および第２ユーザ端末６０とネットワーク３を介して接続され、第１ユーザＵａと第２ユーザＵｂ間の電力の売買契約を行うための画面や、各ユーザの蓄電池の状態等の情報を示す画面等を各ユーザ端末に表示させる。
【００５０】
第１ユーザ端末５０および第２ユーザ端末６０に各種画面を表示させる方法は、特に限定されないが、たとえば、図示されないウェブサーバに各ユーザ向けのウェブサイトを作成し、ユーザ端末上でブラウザまたは所定のアプリケーションを起動してウェブサイトにアクセスして表示させてもよいし、ユーザ端末上で所定のアプリケーションを起動して、サーバ１０から必要な情報を取得して表示させてもよい。
【００５１】
＜情報処理装置１００＞
次に、図１を用いて情報処理装置１００について説明する。
【００５２】
情報処理装置１００は、第１蓄電池（電池システム２２）を有していて電力の売り手となる第１ユーザＵａと、第２蓄電池（電池システム３２）を有していて電力の買い手となる第２ユーザＵｂと、の間で売買される契約電力量を含む契約情報を取得する取得部１０２と、第１蓄電池（第１ユーザＵａの蓄電池）から第２蓄電池（第２ユーザＵｂの蓄電池）に電力を移動させたときの、第１ユーザＵａの蓄電池の放電量および第２ユーザＵｂの蓄電池の充電量の少なくとも一方に関する充放電量情報を受信する受信部１０４と、充放電量情報を用いて、契約電力量の電力の移動が完了したか否かを判断する判断部１０６と、取得部１０２が取得した契約情報を、第１ユーザ端末５０および第２ユーザ端末６０の少なくとも一方に表示させ、かつ、契約電力量の電力の移動が完了したと判断されたときに、その旨を示す情報を第１ユーザ端末５０および第２ユーザ端末６０の少なくとも一方に表示させる表示部１０８と、を備える。
【００５３】
本明細書において、「取得」とは、自装置が他の装置や記憶媒体に格納されているデータまたは情報を取りに行くこと（能動的な取得）、たとえば、他の装置にリクエストまたは問い合わせして受信すること、他の装置や記憶媒体にアクセスして読み出すこと等、および、自装置に他の装置から出力されるデータまたは情報を入力すること（受動的な取得）、たとえば、配信（または、送信、プッシュ通知等）されるデータまたは情報を受信すること等、の少なくともいずれか一方を含む。また、受信したデータまたは情報の中から選択して取得すること、または、配信されたデータまたは情報を選択して受信することも含む。
【００５４】
表示部１０８により表示される画面は、図１９の取引確認画面２７０に例示される。
【００５５】
取引確認画面２７０は、放電側蓄電池状態表示部２６２と、充電側蓄電池状態表示部２６４と、移動完了アイコン表示部２７２と、電力取引が完了した旨を示すメッセージを表示する移動完了メッセージ表示部２７４とを含む。
【００５６】
図１９では、放電側蓄電池状態表示部２６２から充電側蓄電池状態表示部２６４に全ての電力が移動したことを示すように、充電側蓄電池状態表示部２６４のみがハッチング（たとえば、緑色に表示）領域を有している。移動完了アイコン表示部２７２のアイコンには、たとえば、電力の移動が完了したこと、移動した電力量等の情報が描画されてもよい。アイコンは点滅やハイライト等所定のアニメーション効果が施されてもよい。移動完了メッセージ表示部２７４には、電力の移動が完了したことを示すメッセージが表示される。
【００５７】
本実施形態では、第１ユーザＵａが商品の購入を電力で行う際に、第１ユーザ端末５０を用いて電力の売買の契約を行う。また、上述したように、第１ユーザＵａの蓄電池より第２ユーザＵｂの蓄電池の方が、電力容量が大きく、出力能力も高いため、第２ユーザＵｂの蓄電池に契約電力量を充電するのに必要な時間より第１ユーザＵａの蓄電池から契約電力量を放電するのに必要な時間の方が長くなる。そこで、判断部１０６は、第１ユーザＵａの蓄電池の放電量を示す蓄電池情報を用いて契約電力量の電力の移動が完了したか否かを判断する。そのため、受信部１０４は、少なくとも第１ユーザＵａの蓄電池から第２ユーザＵｂの蓄電池に電力を移動させたときの、第１ユーザＵａの蓄電池の放電量を示す蓄電池情報を受信すればよい。
【００５８】
さらに、第１ユーザＵａの蓄電池から放電された電力は、第２ユーザＵｂにおいて、必ずしも蓄電池に充電されなくてもよい。電力系統４０から契約電力量分の電力が第２ユーザＵｂに供給され、たとえば、負荷３８により消費されてもよい。
また、第２ユーザＵｂは、蓄電池を有していなくてもよく、本発明は、第１ユーザＵａから買電した電力が第２ユーザＵｂの負荷３８により自家消費されるだけの構成も含む。
【００５９】
情報処理装置１００は、図３に示されるコンピュータ８０によって実現される。また、各ユーザのユーザ端末（第１ユーザ端末５０、第２ユーザ端末６０）、電力システムの各装置（電池システム、ＥＭＳ、ＨＥＭＳ等）、すなわち、本情報処理システム１を構成する各装置も同様なコンピュータ８０によって実現される。一つの装置は、一つのコンピュータによって実現されてもよいし、複数のコンピュータを組み合わせることにより実現されてもよいし、仮想的な装置として実現されてもよい。
【００６０】
図３は、情報処理システム１の各装置を実現するコンピュータ８０の構成の一例を示す図である。
コンピュータ８０は、ＣＰＵ（Central Processing Unit）８２、メモリ８４、メモリ８４にロードされた情報処理装置１００の構成要素を実現するプログラム９０、そのプログラム９０を格納するストレージ８５、Ｉ／Ｏ（Input/Output）８６、およびネットワーク接続用インタフェース（通信Ｉ／Ｆ８７）を備える。
【００６１】
ＣＰＵ８２、メモリ８４、ストレージ８５、Ｉ／Ｏ８６、通信Ｉ／Ｆ８７は、バス８９を介して互いに接続され、ＣＰＵ８２により情報処理装置１００全体が制御される。ただし、ＣＰＵ８２などを互いに接続する方法は、バス接続に限定されない。
【００６２】
メモリ８４は、ＲＡＭ（Random Access Memory）やＲＯＭ（Read Only Memory）などのメモリである。ストレージ８５は、ハードディスク、ＳＳＤ（Solid State Drive）、またはメモリカードなどの記憶装置である。
【００６３】
ストレージ８５は、ＲＡＭやＲＯＭなどのメモリであってもよい。ストレージ８５は、コンピュータ８０の内部に設けられてもよいし、コンピュータ８０がアクセス可能であれば、コンピュータ８０の外部に設けられ、コンピュータ８０と有線または無線で接続されてもよい。あるいは、コンピュータ８０に着脱可能に設けられてもよい。
【００６４】
ＣＰＵ８２が、ストレージ８５に記憶されるプログラム９０をメモリ８４に読み出して実行することにより、情報処理装置１００の各ユニットの各機能を実現することができる。
【００６５】
Ｉ／Ｏ８６は、コンピュータ８０と他の入出力装置間のデータおよび制御信号の入出力制御を行う。他の入出力装置とは、たとえば、コンピュータ８０に接続されるキーボード、タッチパネル、マウス、およびマイクロフォン等の入力装置９２と、ディスプレイ（表示装置９４）、プリンタ、およびスピーカ等の出力装置と、これらの入出力装置とコンピュータ８０のインタフェースとを含む。さらに、Ｉ／Ｏ８６は、他の記録媒体の読み取りまたは書き込み装置（不図示）とのデータの入出力制御を行ってもよい。
【００６６】
なお、入力装置９２および表示装置９４は、各装置内に含まれる装置であってもよい。また、入力装置９２と表示装置９４は、両者が一体となったタッチパネル等の入出力装置であってもよい。
【００６７】
通信Ｉ／Ｆ８７は、コンピュータ８０と外部の装置との通信を行うためのネットワーク接続用インタフェースである。通信Ｉ／Ｆ８７は、有線回線および無線回線のいずれと接続するためのインタフェースでもよく、通信相手の装置にそれぞれ対応する複数の異なるインタフェースを含んでもよい。たとえば、情報処理装置１００を実現するコンピュータ８０は、通信Ｉ／Ｆ８７によりネットワーク３を介して第１ユーザ端末５０、第２ユーザ端末６０、ＥＭＳ２４、ＨＥＭＳ２６、ＥＭＳ３４、およびＨＥＭＳ３６とそれぞれ接続される。
【００６８】
本実施形態の情報処理装置１００の各構成要素は、図３のコンピュータ８０のハードウェアとソフトウェアの任意の組合せによって実現される。そして、その実現方法、装置にはいろいろな変形例があることは、当業者には理解されるところである。各実施形態の情報処理装置を示す機能ブロック図は、ハードウェア単位の構成ではなく、論理的な機能単位のブロックを示している。
【００６９】
本実施形態のコンピュータプログラム９０は、情報処理装置１００を実現させるためのコンピュータ８０に、第１ユーザＵａと第２ユーザＵｂとの間で売買される契約電力量を含む契約情報を取得する手順、第１ユーザＵａの蓄電池から第２ユーザＵｂの蓄電池に電力を移動させたときの、第１ユーザＵａの蓄電池の放電量および第２ユーザＵｂの蓄電池の充電量の少なくとも一方に関する充放電量情報を受信する手順、充放電量情報を用いて、契約電力量の電力の移動が完了したか否かを判断する手順、契約情報を、第１ユーザ端末５０および第２ユーザ端末６０の少なくとも一方に表示させ、かつ、契約電力量の電力の移動が完了したと判断されたときに、その旨を示す情報を第１ユーザ端末５０および第２ユーザ端末６０の少なくとも一方に表示させる手順、を実行させるように記述されている。
【００７０】
本実施形態のコンピュータプログラム９０は、コンピュータ８０で読み取り可能な記録媒体に記録されてもよい。記録媒体は特に限定されず、様々な形態のものが考えられる。また、コンピュータプログラム９０は、記録媒体からコンピュータ８０のメモリ８４にロードされてもよいし、ネットワークを通じてコンピュータ８０にダウンロードされ、メモリ８４にロードされてもよい。
【００７１】
コンピュータプログラム９０を記録する記録媒体は、非一時的な有形のコンピュータ８０が使用可能な媒体を含み、その媒体に、コンピュータ８０が読み取り可能なプログラムコードが埋め込まれる。コンピュータプログラム９０が、コンピュータ８０上で実行されたとき、コンピュータ８０に、情報処理装置１００を実現する後述する情報処理方法を実行させる。
【００７２】
情報処理装置１００は、図４に示すように、さらに、制御部１３０と、記憶装置１１０とを有する。
制御部１３０は、第１ユーザＵａと第２ユーザＵｂ間の契約成立の判断や、契約情報に基づく各蓄電池の充放電の制御、各種情報に基づく演算処理等を行う機能を有する。詳細については後述する。
【００７３】
記憶装置１１０は、蓄電池情報記憶部１１２（図５）と、蓄電池状態情報記憶部１１４（図６）と、契約情報記憶部１２０（図７（ａ））と、充放電情報記憶部１２２（図８）と、充放電量記憶部１２４（図９（ａ））と、充放電量情報記憶部１２６（図９（ｂ））と、ユーザ情報記憶部１５０（図１０）とを含む。
【００７４】
記憶装置１１０は、情報処理装置１００の外部に設けられてもよいし、図３のコンピュータ８０のメモリ８４やストレージ８５により実現されてもよい。また、記憶装置１１０は、複数の記憶装置から構成されてもよい。
【００７５】
以下、各記憶部について説明する。
本情報処理システム１を利用する際に、各ユーザが予め必要な情報を入力してユーザ登録を行う。ユーザ情報記憶部１５０（図１０）には、登録されたユーザ情報が記憶される。なお、システム利用登録方法は、特に限定されず、書面による登録であってもよいし、ネットワーク経由で電子申請による登録（たとえば、ウェブサイトで登録）であってもよい。
【００７６】
ユーザ情報記憶部１５０は、各ユーザに付与されるユーザを識別するための識別情報であるユーザＩＤと、ユーザの電力システムのＨＥＭＳやＥＭＳ等の装置の通信宛先情報と、認証用のコード情報とを含む。通信宛先情報は、ユーザの電力システムのＨＥＭＳやＥＭＳ等の装置から情報を受信するための情報であり、たとえば、装置のＩＰアドレス等である。認証用のコード情報は、ＨＥＭＳやＥＭＳ等の装置との認証処理を行うのに必要な情報であり、たとえば、パスワード等である。さらに、ユーザ情報記憶部１５０は、ユーザ端末からサーバ１０（情報処理装置１００）またはウェブサーバにアクセスするためのメールアドレス等のアカウント情報（ユーザ端末ＩＤとも呼ぶ）と、サービスにログインするためのパスワードとを含む。
【００７７】
さらに、ユーザ情報記憶部１５０には、ユーザの電力システムの蓄電池を特定できる識別情報（蓄電池ＩＤ）がユーザＩＤと関連付けて記憶される。ここで、蓄電池の識別情報は、たとえば、型式（型番）、メーカ名、製品名等の少なくともいずれか一つの情報でもよい。あるいは、後述する図５（ｂ）の蓄電池を特定できる識別情報であれば、特に限定されない。
【００７８】
本システムを利用する際、各ユーザは、ユーザ端末を用いてユーザ登録したユーザＩＤとパスワード等を入力して認証手続きを行い、本システムにログインすることができる。
【００７９】
蓄電池情報記憶部１１２（図５）は、２つのデータ構造例が考えられる。一例目は、図５（ａ）の蓄電池情報記憶部１１２ａであり、ユーザ毎に、蓄電池の定格容量、定格出力、型式等の蓄電池情報が、各ユーザの識別情報（ユーザＩＤ）に関連付けて記憶される。二例目は、図５（ｂ）の蓄電池情報記憶部１１２ｂであり、蓄電池の識別情報（蓄電池ＩＤ）に、蓄電池の定格容量、定格出力、型式等の蓄電池情報が関連付けて記憶される。後者の例では、図１０のユーザ情報記憶部１５０のユーザ毎の蓄電池ＩＤに対応する蓄電池情報を蓄電池情報記憶部１１２ｂから読み出して用いることができる。
【００８０】
蓄電池情報記憶部１１２ａおよび蓄電池情報記憶部１１２ｂに記憶される蓄電池情報は、ユーザ登録時または随時、ユーザ端末を用いて登録画面から入力されてサーバ１０に送信されてもよいし、ユーザのＨＥＭＳにより蓄電池から取得されてサーバ１０に送信されてもよい。また、蓄電池情報記憶部１１２ｂは、各メーカの情報に基づいて作成され、記憶装置１１０に保持されてよい。
【００８１】
図６の蓄電池状態情報記憶部１１４には、受信部１０４が各ユーザの電力システム（たとえば、ＨＥＭＳ、ＥＭＳ等）から受信した蓄電池の状態情報が、ユーザＩＤに関連付けて記憶される。受信部１０４は、第１ユーザＵａおよび第２ユーザＵｂの少なくとも一方の蓄電池の状態情報を受信すればよい。受信タイミングは、定期的または随時である。
【００８２】
状態情報は、たとえば、電力システムから状態情報を受信した日時、現在の蓄電池の蓄電容量、空き容量、動作情報（動作停止、充電、放電、待機、満充電、エラー）、エラー情報（通信エラー、システムエラー）等の情報を含んでよい。蓄電池状態情報記憶部１１４には、少なくとも現在の蓄電池の蓄電容量の情報が記憶されればよく、その他の情報は記憶されなくてもよい。さらに、状態情報は、現在の蓄電容量と、蓄電池の定格容量の情報に基づいて、制御部１３０により算出される放電可能容量（または充電可能容量）を含んでもよい。
【００８３】
これらの情報は、第１ユーザＵａと第２ユーザＵｂが電力の売買契約を結ぶ際に、第１ユーザＵａが蓄電池の残容量を確認する画面に表示される。
【００８４】
図７（ａ）の契約情報記憶部１２０には、取得部１０２が取得した契約情報が記憶される。契約情報は、第１ユーザＵａと第２ユーザＵｂのユーザＩＤと、二者間で売買される契約電力量とが少なくとも関連付けられて含まれる。さらに、契約情報は、契約が成立した日時、および各契約を識別するための識別情報（契約番号等）を含んでもよい。
【００８５】
取得部１０２が契約情報を取得するタイミングは、第１ユーザＵａおよび第２ユーザＵｂの少なくとも一方のユーザ端末において、二者間の契約成立が確定した時となる。後述するように、第１ユーザ端末５０および第２ユーザ端末６０の少なくとも一方に表示される契約内容を確認する画面において、第１ユーザＵａおよび第２ユーザＵｂの少なくとも一方が内容に同意した場合に、制御部１３０は、契約成立が確定したものと判断してよい。
【００８６】
図７（ｂ）は、各ユーザのユーザ端末の記憶装置２１０に記憶される契約情報記憶部２１２のデータ構造の一例を示している。契約情報記憶部２１２には、契約相手のユーザＩＤと、売電電力量とが少なくとも関連付けて記憶される。図では第１ユーザＵａの第１ユーザ端末５０の記憶装置２１０に記憶される契約情報記憶部２１２の例を示している。さらに、契約情報記憶部２１２は、契約が成立した日時、および各契約を識別するための識別情報（契約番号）を含んでもよい。
【００８７】
図８の充放電情報記憶部１２２には、契約が成立した第１ユーザＵａおよび第２ユーザＵｂの各蓄電池の充放電に関する情報（たとえば、放電（充電）開始時刻、放電（充電）完了予定時刻）がユーザＩＤに関連付けて記憶される。
【００８８】
放電（充電）開始時刻および放電（充電）完了予定時刻）は、受信部１０４が受信する各ユーザの蓄電池の状態情報に基づいて、制御部１３０により求められる。放電（充電）開始時刻は、蓄電池が実際に放電（充電）の動作を開始した時刻であってもよいし、情報処理装置１００から各蓄電池のＥＭＳに対して放電（充電）開始の指示を送信した時刻であってもよいし、両方であってもよい。
【００８９】
判断部１０６による充放電完了の判断は、第１ユーザＵａおよび第２ユーザＵｂのうち少なくとも一方の蓄電池（たとえば、充放電の完了時刻が遅い方）の充放電情報（充電量または放電量）に基づいて、行うことができる。よって、充放電情報記憶部１２２は、第１ユーザＵａおよび第２ユーザＵｂのうち少なくともいずれか一方の蓄電池（たとえば、充放電の完了時刻が遅い方）の充放電情報を含んでいればよい。
【００９０】
放電（充電）完了予定時刻は、契約放電（充電）電力量と、蓄電池の状態情報（定格出力、定格容量）およびユーザの負荷による消費電力量に関する情報等に基づいて、制御部１３０により算出される。ユーザの負荷消費電力量等の情報は、たとえば、ＨＥＭＳから取得した情報を用いることができ、これらの情報も記憶装置１１０の消費電力量情報記憶部（不図示）にユーザ毎に記憶してよい。
【００９１】
図９（ａ）の充放電量記憶部１２４には、受信部１０４が受信する蓄電池から放電（充電）された電力量の計測値が日時情報とともに記録される。
【００９２】
受信部１０４は、第１ユーザＵａの蓄電池の放電量（逆潮流値）を測定する測定装置および第２ユーザＵｂの蓄電池の充電量を測定する測定装置の少なくとも一方からそれぞれ放電量および充電量の少なくとも一方を示す充放電情報を受信する。測定装置は、たとえば、スマートメータ、ＨＥＭＳ、ＥＭＳ、パワーコンディショナ（ＰＣＳ：Power Conditioning System）、ＣＴ（Current Transformer）等である。
【００９３】
放電量の計測値は、第１ユーザＵａのＥＭＳ２４またはＨＥＭＳ２６から蓄電池の放電量（ｋＷｈ）を取得してもよいし、第１ユーザＵａのスマートメータＳＭａから取得される逆潮流値（たとえば、３０分値）をＨＥＭＳ２６を介して取得してもよい。
【００９４】
充電量の計測値は、第２ユーザＵｂのＥＭＳ３４またはＨＥＭＳ３６から蓄電池の充電量（ｋＷｈ）を取得してもよいし、第２ユーザＵｂのスマートメータＳＭｂから取得される消費電力量（たとえば、３０分値または瞬時値）をＨＥＭＳ３６を介して取得してもよい。スマートメータＳＭｂから取得した消費電力量と、第２ユーザＵｂの各負荷３８による消費電力量とから、充電量が算出できる。さらに、第２ユーザＵｂがＰＶを有している場合は、ＰＶの発電量もさらに充電量の算出に用いてよい。すなわち、蓄電池の充電量からＰＶの発電量を減算して、電力系統４０（第１ユーザＵａの蓄電池）から供給された電力量を算出してもよい。
【００９５】
計測値は、契約成立後から第１ユーザＵａと第２ユーザＵｂ間の電力の移動が完了したと判断部１０６により判断されるまでの間、定期的または随時、受信部１０４により各ＨＥＭＳまたは各ＥＭＳに問い合わせて取得され、充放電量記憶部１２４に日時情報とともに記憶される。
【００９６】
図９（ｂ）の充放電量情報記憶部１２６は、ユーザ毎に、放電（充電）予定電力量に対する、放電（充電）済み電力量および放電（充電）残電力量の少なくとも一方の情報が日時情報とともに記憶される。また、充放電量情報は、電力量で示してもよいし、放電（充電）予定電力量に対する、放電（充電）電力量または放電（充電）残電力量の割合で示してもよい。
【００９７】
制御部１３０は、受信部１０４により受信した充放電情報（蓄電池の充放電量）に基づいて、第１ユーザＵａの蓄電池から第２ユーザＵｂの蓄電池に移動済みの電力量が契約電力量に占める割合を算出する。すなわち、制御部１３０は算出手段（不図示）の機能をさらに有してもよい。
充放電量情報記憶部１２６には、契約電力量と、充放電量記憶部１２４に記憶された充電量または放電量とを元に、制御部１３０により算出された値が記憶される。
【００９８】
後述するように、表示部１０８は、この充放電量情報記憶部１２６の情報を読み出して、第１ユーザ端末５０および第２ユーザ端末６０の少なくとも一方に、移動済みの電力量が契約電力量に占める割合（％）を示す情報画面を表示させることで、ユーザに現在の電力の移動状況を知らせることができる。
【００９９】
このように構成された本実施形態の情報処理装置１００の情報処理方法について、以下説明する。
図１１は、本実施形態の情報処理装置１００の動作の一例を示すフローチャートである。
本発明の実施の形態に係る情報処理方法は、情報処理装置１００の情報処理方法であり、情報処理装置１００を実現するコンピュータ８０により実行される情報処理方法である。
本実施形態の情報処理方法は、情報処理装置１００が、第１ユーザＵａと第２ユーザＵｂとの間で売買される契約電力量を含む契約情報を取得し（ステップＳ１０１）、契約情報を、第１ユーザ端末５０および第２ユーザ端末６０の少なくとも一方に表示させ（ステップＳ１０３）、第１ユーザＵａの蓄電池から第２ユーザＵｂの蓄電池に電力を移動させたときの、第１ユーザＵａの蓄電池の放電量および第２ユーザＵｂの蓄電池の充電量の少なくとも一方に関する充放電量情報を受信し（ステップＳ１０５）、充放電量情報を用いて、契約電力量の電力の移動が完了したか否かを判断し（ステップＳ１０７）、契約電力量の電力の移動が完了したと判断されたときに（ステップＳ１０７のＹＥＳ）、その旨を示す情報を第１ユーザ端末５０および第２ユーザ端末６０の少なくとも一方に表示させる（ステップＳ１０９）、ことを含む。
【０１００】
また、各ユーザのユーザ端末には、本情報処理システム１のサービスを受けるためのアプリケーションプログラムが予めインストールされているものとする。上述したように、各ユーザ端末はブラウザを用いて情報処理システム１のウェブサイトにアクセスして、ログイン後にユーザ専用の画面をユーザ端末に表示させてもよい。
【０１０１】
以下、第１ユーザＵａが店舗７０を訪れて、商品購入の際に本サービスを利用して電力で支払いを行う場面を例に情報処理システム１の動作を説明する。図１２は、本実施形態の情報処理システム１の各装置の動作フローの一例を示す図ある。また、図１８は、図１２の動作フローの続きを示す図である。
【０１０２】
まず、第１ユーザＵａの第１ユーザ端末５０（図中、顧客端末５０と示す）上でアプリケーションが起動される（ステップＳ２０１）。このとき、第１ユーザ端末５０はサーバ１０に接続し、ログイン手続きなどを行う（不図示）。そして、店舗７０内の通信機器（たとえば、第２ユーザ端末６０または中継器（ルータやゲートウェイ等）（不図示）等）を探索する（ステップＳ２０３）。
【０１０３】
そして、第２ユーザ端末６０（図中、店舗端末６０と示す）が応答し（ステップＳ２０５）、第１ユーザ端末５０は、第２ユーザ端末６０との通信を確立させる。通信が確立すると、第１ユーザ端末５０は、サーバ１０に通知する（ステップＳ２０７）。これにより、表示部１０８が、電力取引画面２３０（図１３）を第１ユーザ端末５０に表示させる（ステップＳ２０９）。
【０１０４】
電力取引画面２３０は、第１ユーザＵａの蓄電池が放電可能な電力量が表示される放電可能容量表示部２３２と、取引相手と、充電容量等の情報が表示される取引情報表示部２３４とを有する。
【０１０５】
表示部１０８は、図６の蓄電池状態情報記憶部１１４から読み出した第１ユーザＵａの放電可能容量を放電可能容量表示部２３２に表示させる。図１３の例では、第１ユーザＵａは第２ユーザＵｂの店舗７０の商品を電力で購入する場合の電力取引画面２３０を示している。第１ユーザＵａの第１ユーザ端末５０には、図１４の商品選択画面２４０が表示されてもよい。商品選択画面２４０には、プルダウンメニューや、ドラムロール式のユーザインタフェースを用いて、購入商品と、その単価と、対応する電力量とが表示され、購入商品を選択することができる。
【０１０６】
表示部１０８は、図１５の電力換算情報記憶部１２８から読み出した商品毎の単価、換算電力量等の情報を取引情報表示部２３４に表示させる。
【０１０７】
ここでは、店舗７０に第１ユーザＵａが来店した場合を例に説明するが、たとえば、ネットショッピングで、商品購入ページに、商品価格とともに、対応する電力量が表示されてもよい。そして、購入商品の支払い条件の入力時に通貨による支払いか、電力による支払いかを選択できてもよい。
【０１０８】
また、複数の取引相手の情報（電力の対価情報等）を一覧表等で表示し、第１ユーザＵａが一覧表の中から取引相手を選択できてもよい。
【０１０９】
図１２に戻り、電力取引画面２３０の取引内容で電力の取引を行うと第１ユーザＵａが決めて、決定ボタン２３６が操作されると（ステップＳ２１１）、その取引内容がサーバ１０に通知される（ステップＳ２１３）。取得部１０２は、この取引内容を契約情報として取得し、図７（ａ）の契約情報記憶部１２０に記憶する。
【０１１０】
そして、表示部１０８は、図７（ａ）の契約情報記憶部１２０から契約情報を読み出し、図１６（ａ）の契約内容の確認画面２５０を第１ユーザ端末５０に表示させる（ステップＳ２１５）。契約内容に同意の場合は、第１ユーザＵａはＯＫボタン２５２を押下する。契約をやめる、または修正する場合は、第１ユーザＵａはキャンセルボタン２５４を押下する。第１ユーザ端末５０がキャンセルボタン２５４の押下を受け付けた場合、電力取引画面２３０（図１３）に戻り、取引内容の修正を行うことができる。
【０１１１】
第１ユーザ端末５０がＯＫボタン２５２の押下を受け付けると、サーバ１０に契約内容の確定が通知され（ステップＳ２１７）、表示部１０８が図１６（ｂ）の取引確認画面２６０を第１ユーザ端末５０に表示させる（ステップＳ２１９）。このとき、サーバ１０は、確定した契約情報で契約情報記憶部１２０（図７（ａ））を更新する。また、第１ユーザ端末５０と第２ユーザ端末６０も、契約情報を契約情報記憶部２１２（図７（ｂ））にそれぞれ記憶してもよい。
【０１１２】
なお、この例では、第１ユーザＵａが契約内容を確認して、承認すること（ＯＫボタン２５２を押下）で、契約が確定しているが、契約の確定方法は、他の方法でもよく、以下に例示されるがこれらに限定されない。
（ｃ１）第２ユーザＵｂが設定した買電条件（買電容量、充電完了時刻（時間）、料金等）を第１ユーザ端末５０に表示し、第１ユーザＵａが承諾または複数の買電条件から選択または買電条件を満たす売電条件を設定して契約を確定する。
（ｃ２）第１ユーザＵａが設定した売電条件（売電容量、放電完了時刻（時間）、料金等）を第２ユーザ端末６０に表示し、第２ユーザＵｂが承諾または複数の売電条件から選択または売電条件を満たす買電条件を設定して契約を確定する。
（ｃ３）第１ユーザＵａおよび第２ユーザＵｂがそれぞれ設定した複数の売電および買電条件（ある程度の幅を持たせて設定されるのが好ましい）の中から、条件が合うものを自動的に（少なくとも一つ）設定して第１ユーザ端末５０または第２ユーザ端末６０に表示し、第１ユーザＵａまたは第２ユーザＵｂが承諾または複数の条件から選択して契約を確定する。
（ｃ４）第１ユーザＵａおよび第２ユーザＵｂのいずれか一方のユーザが設定した条件を他方の条件の範囲内になるように自動調整して表示し、一方のユーザの承諾を得て契約を確定する。
【０１１３】
図１６（ｂ）の取引確認画面２６０は、放電側蓄電池状態表示部２６２と、充電側蓄電池状態表示部２６４と、充放電状態表示部２６６とを含む。取引確認画面２６０は、少なくとも放電側蓄電池状態表示部２６２を含めばよく（たとえば、図１７（ａ））、充電側蓄電池状態表示部２６４および充放電状態表示部２６６はオプションである。
【０１１４】
放電側蓄電池状態表示部２６２と充電側蓄電池状態表示部２６４は、取引される契約電力量を、幾何学な形状の図形や図案の面積で示している。ここでは、三角形を用いているが、これは一例である。取引確認画面２６０において、放電側蓄電池状態表示部２６２と充電側蓄電池状態表示部２６４は同じ形状の同じ面積（または単位電力量に対する面積が同じ）の図形または図案を用いればよい。形状は特に限定されず、円形、四角形、平行四辺形、台形、多角形、まがたま形状等の様々な形状の図形や図案を用いてよい。
また、放電側蓄電池状態表示部２６２と充電側蓄電池状態表示部２６４とは、形状や面積は必ずしも同じでなくても構わない。たとえば、蓄電容量が大きい側の蓄電池を、大きく示してもよい。
【０１１５】
放電側蓄電池状態表示部２６２と充電側蓄電池状態表示部２６４の各形状の総面積が契約電力量を示している。放電側蓄電池状態表示部２６２のハッチングで示される領域の面積が、契約電力量に対して、第１ユーザＵａの蓄電池から第２ユーザＵｂの蓄電池にまだ移動していない電力量の割合を示している。第１ユーザＵａの蓄電池から第２ユーザＵｂの蓄電池に移動した充電済みの電力量の、契約電力量に対する割合が、充電側蓄電池状態表示部２６４のハッチングで示される領域の面積となる。
【０１１６】
表示部１０８により各ユーザ端末に蓄電池の充放電状況を表示するパターンは以下に例示されるが、これらに限定されない。また、複数の表示パターンを組み合わせてもよい。
（ｄ１）売り手（第１ユーザＵａ）の第１ユーザ端末５０に放電割合、買い手（第２ユーザＵｂ）の第２ユーザ端末６０に充電割合を表示
（ｄ２）実際の放電割合を、第１ユーザ端末５０および第２ユーザ端末６０の少なくとも一方に表示
（ｄ３）実際の充電割合を、第１ユーザ端末５０および第２ユーザ端末６０の少なくとも一方に表示
【０１１７】
上記（ｄ１）の表示パターンでは、表示部１０８は、第１ユーザ端末５０に、第１ユーザＵａの蓄電池の放電量が契約電力量に占める割合（放電量の割合）を示す情報を繰り返し表示（更新）させ、かつ、第２ユーザ端末６０に、第２ユーザＵｂ蓄電池の充電量が契約電力量に占める割合（充電量の割合）を示す情報を繰り返し表示（更新）させる。
【０１１８】
上記（ｄ２）の表示パターンでは、表示部１０８は、第１ユーザ端末５０および第２ユーザ端末６０の少なくとも一方に、第１ユーザＵａの蓄電池の実際の放電量が契約電力量に占める割合を示す情報を繰り返し表示（更新）させる。
この表示パターンは、第１ユーザＵａの蓄電池の放電速度が、第２ユーザＵｂの蓄電池の充電速度よりも遅い場合に好適な方法である。
【０１１９】
上記（ｄ３）の表示パターンでは、表示部１０８は、第１ユーザ端末５０および第２ユーザ端末６０の少なくとも一方に、第２ユーザＵｂの蓄電池の実際の充電量が契約電力量に占める割合を示す情報を繰り返し表示（更新）させる。
この表示パターンは、第２ユーザＵｂの蓄電池の充電速度が、第１ユーザＵａの蓄電池の放電速度よりも遅い場合に好適な方法である。
【０１２０】
放電量または充電量の割合を算出するのに使用する各値は、充放電量情報記憶部１２６から読み出して演算処理に用いることができる。なお、算出された放電量または充電量の割合の情報は、充放電量情報記憶部１２６にユーザ毎に日時情報に関連付けてさらに記憶してもよい。
【０１２１】
また、後述するように、第１ユーザＵａの実際の放電量と第２ユーザＵｂの実際の充電量は、各蓄電池の能力差によって同じにならない場合がある。上記（ｄ１）のパターンでは、たとえば、第１ユーザＵａの実際の放電量を第２ユーザＵｂの充電量とみなして（または、第２ユーザＵｂの実際の充電量を第１ユーザＵａの放電量ともなして）演算処理を行うケースも含んでいる。
【０１２２】
取引確認画面２６０のハッチング部分は、たとえば、他の部分と色を替えて表示される。ここでは、たとえば、ハッチング部分は、緑色で示されているとする。第１ユーザＵａと第２ユーザＵｂの蓄電池間で充放電が進行するにつれ、放電側蓄電池状態表示部２６２のハッチング部の面積は小さくなり、充電側蓄電池状態表示部２６４のハッチング部の面積は大きくなっていく。また、表示部１０８は、充放電が進行していることを表すようなアニメーション効果を放電側蓄電池状態表示部２６２と充電側蓄電池状態表示部２６４にそれぞれ施して描画してもよい。たとえば、放電中は、放電側蓄電池状態表示部２６２のハッチング部が下に向かって移動しているようなアニメーション効果を施し、充電中は、充電側蓄電池状態表示部２６４のハッチング部が上に向かって移動しているようなアニメーション効果を施して描画されてもよい。
【０１２３】
充放電状態表示部２６６は、充放電が実行されていることを示し、充放電中に放電側蓄電池状態表示部２６２から充電側蓄電池状態表示部２６４に電力が移動していることを表現するアニメーション効果を施して描画される。また、充放電が中断している場合は、その旨を示すアイコンが赤色で点滅表示され（たとえば、図１７（ｂ）の充放電状態表示部２６６）、充放電が完了した時に緑色で表示される等、充放電の状態に応じて、色や形状を変えたり、表示方法（アニメーション等）を変更したりしてよい。
【０１２４】
受信部１０４は、第１ユーザＵａの蓄電池の充放電の状況を示す情報を受信する。
第１ユーザＵａの蓄電池が放電停止中の場合、表示部１０８は、第１ユーザ端末５０および第２ユーザ端末６０のいずれか一方に、第１ユーザＵａの蓄電池からの放電が停止中であることを示す情報を表示させる。
【０１２５】
契約内容確認画面２５０（図１６（ａ））において契約成立が確定すると、制御部１３０は、第１ユーザＵａの蓄電池および第２ユーザＵｂ蓄電池を制御するＥＭＳ２４およびＥＭＳ３４に、契約情報に従い、充放電の開始をそれぞれ指示する（図１２のステップＳ２２１、ステップＳ２２３）。
【０１２６】
第１電力システム２０では、放電指示に従い蓄電池から電力系統４０に放電を開始する（ステップＳ２２５）。第２電力システム３０では、充電指示に従い蓄電池に電力系統４０から充電を開始する（ステップＳ２２７）。このとき、サーバ１０は、放電（充電）開始時刻を充放電情報記憶部１２２（図８）に記憶する。
【０１２７】
図１８に進み、第１電力システム２０の蓄電池が放電制御され（ステップＳ２３３）、第２電力システム３０の蓄電池が充電制御されている間（ステップＳ２３５）、表示部１０８は、図１６（ｂ）の取引確認画面２６０を第１ユーザ端末５０に以下のようにリアルタイムに更新しながら表示させる（ステップＳ２４５）。
【０１２８】
ＨＥＭＳ２６が、第１電力システム２０の放電量の計測値を取得し（ステップＳ２３７）、サーバ１０に送信する（ステップＳ２３９）。ＨＥＭＳ３６が、第２電力システム３０の充電量の計測値を取得し（ステップＳ２４１）、サーバ１０に送信する（ステップＳ２４３）。サーバ１０では、受信部１０４が各計測値を受信し、図９（ａ）の充放電量記憶部１２４に記憶する。また、制御部１３０が放電（充電）済み電力量、および放電（充電）残電力量を算出し、図９（ｂ）の充放電量情報記憶部１２６に記憶する。
【０１２９】
そして、表示部１０８は、図９（ｂ）の充放電量情報記憶部１２６から放電（充電）済み電力量、および放電（充電）残電力量を読み出して、取引確認画面２６０を更新する（ステップＳ２４５）。
【０１３０】
そして、充放電量情報記憶部１２６から読み出した放電（充電）済み電力量に基づいて、判断部１０６が第１ユーザＵａと第２ユーザＵｂ間の電力移動が完了したか否かを判断する。ここで、充放電量の計測値の取得、送信、画面更新および移動完了判断（ステップＳ２３３〜ステップＳ２４７）の処理は、定期的または随時、電力移動の完了が検出されるまでリアルタイムに繰り返し実行される。
【０１３１】
電力移動の完了を検出すると（ステップＳ２４７）、表示部１０８が、電力移動が完了した旨を通知する取引確認画面２７０（図１９）を第１ユーザ端末５０に表示させる（ステップＳ２４９）。
【０１３２】
ステップＳ２４５で充放電中の放電側蓄電池状態表示部２６２および充電側蓄電池状態表示部２６４の表示方法は、以下の複数のパターンが考えられる。
（ｅ１）実際の放電量に合わせた表示
（ｅ２）実際の充電量に合わせた表示
（ｅ３）実際の放電量と実際の充電量に合わせた表示
【０１３３】
以下、各表示方法について、詳細に説明する。
（ｅ１）実際の放電量に合わせた表示（図２０（ａ））
放電側蓄電池状態表示部２６２は、ハッチングで示される残放電量表示領域２６２ａと、残放電量表示領域２６２ａ以外の領域の放電量表示領域２６２ｂとを含む。残放電量表示領域２６２ａは、契約電力量から第１ユーザＵａの蓄電池の実際の放電量を差し引いた、未だ放電されていない残りの未放電容量を示している。放電量表示領域２６２ｂは、第１ユーザＵａの蓄電池の実際の放電量を示している。
【０１３４】
充電側蓄電池状態表示部２６４は、ハッチングで示される充電量表示領域２６４ｂと、それ以外の領域の残充電量表示領域２６４ａとを含む。充電量表示領域２６４ｂは、第２ユーザＵｂの蓄電池の実際の充電量ではなく、第１ユーザＵａの蓄電池から実際に放電された電力量を元にした仮の充電量を示している。残充電量表示領域２６４ａは、契約電力量のうち、第１ユーザＵａの実際の放電量から算出される仮の未充電容量を示している。
【０１３５】
この例では、残放電量表示領域２６２ａと充電量表示領域２６４ｂ、ならびに、放電量表示領域２６２ｂと残充電量表示領域２６４ａは、それぞれ同じ面積を有する。
【０１３６】
（ｅ２）実際の充電量に合わせた表示（図２０（ｃ））
充電側蓄電池状態表示部２６４の充電量表示領域２６４ｂは、第２ユーザＵｂの蓄電池の実際の充電量を示している。残充電量表示領域２６４ａは、契約電力量から実際の充電量を差し引いた、残りの未充電容量を示している。
【０１３７】
放電側蓄電池状態表示部２６２の残放電量表示領域２６２ａは、契約電力量から第１ユーザＵａの蓄電池の実際の放電量を差し引いた実際の残りの未放電容量ではなく、契約電力量と第２ユーザＵｂの蓄電池の実際の充電量から算出される仮の未放電容量を示している。放電量表示領域２６２ｂは、第１ユーザＵａの蓄電池の実際の放電量ではなく、契約電力量と第２ユーザＵｂの蓄電池の実際の充電量から算出される仮の放電量を示している。
【０１３８】
この例でも、残放電量表示領域２６２ａと充電量表示領域２６４ｂ、ならびに、放電量表示領域２６２ｂと残充電量表示領域２６４ａは、それぞれ同じ面積を有する。
【０１３９】
（ｅ３）実際の放電量と実際の充電量に合わせた表示（図２０（ｂ））
放電側蓄電池状態表示部２６２の残放電量表示領域２６２ａは、実際の放電量を示している。放電量表示領域２６２ｂは、契約電力量から第１ユーザＵａの蓄電池の実際の放電量を差し引いた、未だ放電されていない残りの未放電容量を示している。放電量表示領域２６２ｂは実際の未放電容量を示している。
【０１４０】
充電側蓄電池状態表示部２６４の充電量表示領域２６４ｂは、第２ユーザＵｂの蓄電池の実際の充電量を示している。残充電量表示領域２６４ａは、契約電力量から実際の充電量を差し引いた、残りの未充電容量を示している。残充電量表示領域２６４ａは実際の未所定容量を示している。
【０１４１】
なお、放電側蓄電池状態表示部２６２および充電側蓄電池状態表示部２６４は、第１ユーザ端末５０および第２ユーザ端末６０にそれぞれ別々に表示してもよい。たとえば、第１ユーザ端末５０には、図２０（ｂ）の放電側蓄電池状態表示部２６２のみを表示し、第２ユーザ端末６０には、図２０（ｂ）の充電側蓄電池状態表示部２６４のみを表示してもよい。
【０１４２】
また、図２１および図２２は、電力取引画面の他の例を示す。この例では、商品購入に限らず、電力の売買契約を結び、その対価として次回の来店ポイントを取得する。以下、図１２および図１８のフローに従って説明する。
【０１４３】
図２１（ａ）の電力取引画面２８０ａは、図１２のステップＳ２０９で第１ユーザ端末５０に表示され、図１６（ｂ）の取引確認画面２６０と同様な放電側蓄電池状態表示部２６２および充電側蓄電池状態表示部２６４を含む。図のように、放電側蓄電池状態表示部２６２と充電側蓄電池状態表示部２６４には、契約可能な電力量がそれぞれ示されてもよい。
【０１４４】
さらに、電力取引画面２８０ａは、確認ボタン２８１と、キャンセルボタン２８２と、買い手側の対価に関する情報を表示する対価表示欄２８３とを含む。この例では、対価表示欄２８３には、単位買電電力量当たりのインセンティブ（ポイント）が示されている。この店舗７０では、１（ｋＷｈ）につき、次回来店時に利用できるポイントが１００Ｐｔ、第１ユーザＵａに付与され。ユーザ毎の保有ポイントは、記憶装置１１０のユーザポイント情報記憶部（不図示）に記憶される。ユーザにポイントが付与されたとき、ユーザの累計ポイントに加算され、さらに、算出された累計ポイントもユーザポイント情報記憶部に記憶される。
【０１４５】
そして、取引内容を確認した第１ユーザＵａが取引内容に同意した場合、確認ボタン２８１を押下する。一方、取引内容を変更したい場合はキャンセルボタン２８２を押下する。
キャンセルボタン２８２が押下されると、取引先、売電量などの選択画面（不図示）に遷移し、再度、選択後に、電力取引画面２８０ａに戻る。
【０１４６】
確認ボタン２８１が押下されると、サーバ１０に取引内容が通知され（ステップＳ２１３）、表示部１０８により図２１（ｂ）の電力取引画面２８０ｂが表示される（ステップＳ２１５）。電力取引画面２８０ｂは、取引可能表示部２８４と、ＯＫボタン２８５と、キャンセルボタン２８６と、メッセージ表示部２８７とを含む。
【０１４７】
取引可能表示部２８４は、アイコン等のイメージで、第１ユーザＵａの蓄電池から第２ユーザＵｂの蓄電池に電力の移動が可能なことを示す矢印が表示されてもよい。メッセージ表示部２８７には、第１ユーザＵａと第２ユーザＵｂの蓄電池の充電または放電容量が共に契約電力量分確保され、移動可能なたことを示すメッセージが表示される。
【０１４８】
そして、内容を確認した第１ユーザＵａが契約を確定する場合、ＯＫボタン２８５を押下する。一方、契約内容を変更またはキャンセルしたい場合は、キャンセルボタン２８６を押下する。
キャンセルボタン２８６が押下されると、取引先、売電量などの選択画面（不図示）に遷移し、再度、選択後に、電力取引画面２８０ａに戻る。ＯＫボタン２８５が押下されると、契約が成立する。このときサーバ１０に契約確定の通知が送信され（ステップＳ２１７）、取得部１０２が契約情報を取得する。そして、表示部１０８により、図２２（ａ）の取引確認画面２６０が表示される（ステップＳ２１９）。
【０１４９】
この取引確認画面２６０は、図１６（ｂ）と同じである。そして、制御部１３０により各ユーザの蓄電池の充放電制御が開始される（ステップＳ２２１、ステップＳ２２３、ステップＳ２２５、ステップＳ２２７）。取引確認画面２６０には、充放電制御中に上記したように蓄電池の充放電量がリアルタイムに更新されながら表示される（図１８のステップＳ２３１）。
【０１５０】
そして、第１ユーザＵａおよび第２ユーザＵｂの蓄電池の充放電が完了したと判断されたとき（図１８のステップＳ２４７）、表示部１０８により図２２の取引確認画面２９０が表示される（ステップＳ２４９）。取引確認画面２９０は、図１９の取引確認画面２７０と同じ、移動完了アイコン表示部２７２と、電力取引が完了した旨を示すメッセージを表示する移動完了メッセージ表示部２７４を含む。さらに、取引確認画面２９０は、取得ポイント表示部２８８と、現在累計ポイント表示部２８９と、を含む。
【０１５１】
制御部１３０は、判断部１０６により契約電力量の電力の移動が完了したと判断されたとき、電力売買の対価として、第１ユーザＵａに付与されるインセンティブを示す情報（ポイント、チケット、料金等）を出力する。すなわち、制御部１３０は、出力手段（不図示）の機能をさらに有する。インセンティブを示す情報は、上述したユーザポイント情報記憶部から読み出される。
【０１５２】
ここでは、制御部１３０により出力された情報が、取引確認画面２９０に表示される例を示している。制御部１３０は、取引確認画面２９０への表示以外に、ポップアップ表示、通知欄への通知、バナー表示、バッチ表示、所定の宛先へのメッセージ送信、サウンド出力、およびバイブレーション出力等、様々な出力方法の少なくとも一つまたは複数の組み合わせによって情報を出力してよい。
【０１５３】
取得ポイント表示部２８８には、ユーザポイント情報記憶部から読み出された、今回取得したポイントの値が表示される。さらに、現在累計ポイント表示部２８９には、ユーザポイント情報記憶部から累計ポイントの値が読み出されて、表示される。
【０１５４】
以上説明したように、本実施形態の情報処理装置１００によれば、電力を売買する場合において、売買に伴った電力の移動状況を分かりやすくユーザに伝えることができる。たとえば、本実施形態の情報処理装置１００では、判断部１０６が電力移動の完了を検出したときに、表示部１０８は、少なくとも図１９の取引確認画面２７０の放電側蓄電池状態表示部２６２を第１ユーザ端末５０に表示させる。蓄電池の充放電に時間がかかる場合、契約が確定した後、実際に各蓄電池で充放電が正常に完了したか否か、すなわち、契約内容が遂行されたか否かの確認が直ぐにできない。
本実施形態の情報処理装置１００によれば、各蓄電池の充放電の途中結果を確認できるとともに、充放電の完了をユーザに通知することができる。
【０１５５】
なお、第２ユーザＵｂのスマートメータＳＭｂは、電力系統４０から第２電力システム３０に供給された電力を消費電力量として計測し、電力会社のサーバに送信している。そして、電力会社はこの計測値に基づいて、第２ユーザＵｂの電気料金の計算を行っている。
しかし、本実施形態において、電力系統４０から第２電力システム３０に供給される電力には、電力会社から供給された電力だけでなく第１ユーザＵａから購入した電力も含まれているため、スマートメータＳＭｂの計測値には、第２ユーザＵｂが電力会社から購入した電力だけでなく第１ユーザＵａから購入した電力も含まれてしまう。
【０１５６】
そこで、サーバ１０は、第２ユーザＵｂが第１ユーザＵａから購入した契約電力量の情報を電力会社のサーバに送信する。そして、電力会社のサーバは、スマートメータＳＭｂから収集した所定期間の第２ユーザＵｂの総消費電力量から契約電力量分を減算し、その結果に基づいて、電気料金の算出を行う。このようにすれば、電力会社から電気料金の請求金額に第２ユーザＵｂが第１ユーザＵａから購入した電力の分は含まれないことになる。
【０１５７】
また、第１ユーザＵａのスマートメータＳＭａは、電力系統４０に第１電力システム２０から逆潮流された電力を計測し、電力会社のサーバに送信している。電力会社は、第１ユーザＵａから逆潮流された電力を購入し、第１ユーザＵａに電力料金を支払う。そこで、電力会社は、スマートメータＳＭａの計測値に基づいて、第１ユーザＵａに支払う電力料金の計算を行っている。
しかし、本実施形態において、電力系統４０に第１電力システム２０から逆潮流される電力には、電力会社に売電された電力だけでなく第２ユーザＵｂに売電した電力も含まれているため、スマートメータＳＭａの計測値には、第１ユーザＵａが電力会社に売電した電力だけでなく第２ユーザＵｂに売電した電力も含まれてしまう。
【０１５８】
そこで、サーバ１０は、第１ユーザＵａが第２ユーザＵｂに売電した契約電力量の情報を電力会社のサーバに送信する。そして、電力会社のサーバは、スマートメータＳＭａから収集した第１ユーザＵａの逆潮流値から契約電力量分を減算し、その結果に基づいて、電気料金の算出を行う。このようにすれば、電力会社から第１ユーザＵａに支払われる電力料金には、第１ユーザＵａが第２ユーザＵｂに売電した電力の分は含まれないことになる。
【０１５９】
（第２の実施の形態）
本実施形態の情報処理装置１００は、第１ユーザＵａと第２ユーザＵｂ間で電力の移動が可能か否かの判定を行う構成を有する点で、上記実施形態と相違する。
本実施形態の情報処理装置１００は、上記実施形態と同じ構成を有するので、上記実施形態の図面を用いて説明する。
【０１６０】
まず、電力の移動が可能か否かを判定する構成について説明する。
制御部１３０は、第１ユーザＵａの蓄電池から第２ユーザＵｂ蓄電池への契約電力量の電力の移動が可能か否かを判定する。すなわち、制御部１３０は可否判定手段の機能を有する。表示部１０８は、制御部１３０により電力の移動が可能と判定された場合に、第１ユーザ端末５０および第２ユーザ端末６０の少なくとも一方に、契約情報に基づく契約成立を確定する契約画面（たとえば、図１６（ａ）の契約内容確認画面２５０または図２１（ｂ）の電力取引画面２８０ｂ）を表示させる。
たとえば、電力の移動が可能と判定された場合に、表示部１０８は、上記実施形態で説明した図２１（ａ）の画面２８０ａを図２１（ｂ）の画面２８０ｂに遷移させる。
【０１６１】
可否判定の条件は、以下に例示されるが、これらに限定されない。以下を複数組み合わせてもよい。条件に優先順位を付けてもよいし、複数の条件の論理和または論理積を含む条件式として可否判定に用いてもよい。
（ｆ１）売買希望容量≦第１ユーザＵａの蓄電池の放電可能容量（＜蓄電量）なら移動可能と判定する
（ｆ２）売買希望容量≦第２ユーザＵｂの蓄電池の充電可能容量（＜空き容量）なら移動可能と判定する
（ｆ３）売買希望容量が売電希望容量の範囲内なら移動可能と判定する
（ｆ４）売買希望容量が買電希望容量の範囲内なら移動可能と判定する
（ｆ５）売買希望容量の放電完了時刻（または時間）が第２ユーザＵｂの希望放電完了時刻（または時間内）なら移動可能と判定する
（ｆ６）売買希望容量の充電完了時刻（または時間）が第２ユーザＵｂの希望充電完了時刻（または時間内）なら移動可能と判定する
【０１６２】
ここで、売買希望容量とは、第１ユーザＵａおよび第２ユーザＵｂの少なくとも一方が売買を希望する電力量であり、互いの売買希望容量が一致して契約が成立すると売買希望容量が契約電力量として決定される。
【０１６３】
第１ユーザＵａは、事前または契約時に売電希望容量を設定画面（不図示）により指定できてよい。第１ユーザＵａにより指定された売電希望容量は、図２３（ａ）の売電条件記憶部１４０にユーザ毎に記憶される。さらに、売電希望価格も指定できてもよい。
【０１６４】
さらに、第２ユーザＵｂの買電希望容量範囲、買電希望価格（または買電希望対価（ポイント換算等））、希望放電完了時刻（または時間内）等を第２ユーザＵｂにより事前または契約時に設定画面（不図示）により指定できてよい。第２ユーザＵｂにより指定された情報は図２３（ｂ）の買電条件記憶部１４２にユーザ毎に記憶される。図示するように、一ユーザが複数の条件を指定してもよい。
【０１６５】
買電希望対価および買電希望価格とは、第２ユーザＵｂが第１ユーザＵａから電力供給を受ける対価として支払う金額またはインセンティブの単価である。図２３（ｂ）に示すように、ある第２ユーザＵｂは、買電条件として、金銭による買電量と、インセンティブによる買電量を別々に設定してもよい。あるいは、買電条件として、買電量の範囲毎に異なる単価を設定してもよい。
【０１６６】
売電希望価格とは、第１ユーザＵａが第２ユーザＵｂに電力を供給する対価として受け取る金額またはインセンティブ（不図示）の希望単価である。図示していないが、ある第１ユーザＵａは、売電条件として、売電量の範囲毎に異なる単価を設定してもよい。また、インセンティブは、店舗毎に条件が異なるため、店舗毎に異なる希望単価を設定してもよい。
【０１６７】
図２３（ａ）の売電条件記憶部１４０には、第１ユーザＵａの売電条件（たとえば、売電希望容量（ｋＷｈ）、売電希望価格（円／ｋＷｈ））がユーザＩＤに関連付けて記憶される。
【０１６８】
第１ユーザＵａは、複数の第２ユーザＵｂに電力を売ることも考えられ、売電希望容量は、複数の第２ユーザＵｂに売る電力の合計の最大値を示す。第１ユーザＵａが売電希望容量を指定する画面上には、第１ユーザＵａの蓄電池の現在の蓄電容量と、定格容量を表示して第１ユーザＵａに提示してもよい。あるいは、第１ユーザＵａの蓄電池の定格容量から現在の蓄電容量、あるいは、第１ユーザＵａの消費電力の履歴情報などに基づいて、第１ユーザＵａが必要とする電力量を自動的に算出して売電希望容量を指定する画面上に表示して第１ユーザＵａに提示してもよい。
【０１６９】
さらに、売電希望容量と放電可能容量を比較し、その結果を第１ユーザＵａに提示し、売電希望容量の変更を促してもよい。たとえば、売電希望容量が放電可能容量より大きい場合には、売電希望容量を放電可能容量より小さく変更するように促してもよい。逆に、売電希望容量が放電可能容量より小さい場合には、その旨を通知し、さらに、売電希望容量を増やすことが可能なことを通知してもよい。
【０１７０】
また、第２ユーザＵｂは、複数の第１ユーザＵａから電力を買うことも考えられ、買電希望容量は、複数の第１ユーザＵａから購入する電力の合計の最大値を示す。第２ユーザＵｂが買電希望容量を指定する画面上には、第２ユーザＵｂの蓄電池の現在の蓄電容量と、定格容量を表示して第２ユーザＵｂに提示してもよい。あるいは、第２ユーザＵｂの蓄電池の定格容量から現在の蓄電容量、あるいは、第２ユーザＵｂの消費電力の履歴情報などに基づいて、第２ユーザＵｂが必要とする電力量を自動的に算出して買電希望容量を指定する画面上に表示して第２ユーザＵｂに提示してもよい。
【０１７１】
また、買電希望容量と充電可能容量を比較し、その結果を第２ユーザＵｂに提示し、買電希望容量の変更を促してもよい。たとえば、買電希望容量が充電可能容量より大きい場合には、買電希望容量を充電可能容量より小さく変更するように促してもよい。逆に、買電希望容量が充電可能容量より小さい場合には、その旨を通知し、さらに、買電希望容量を増やすように促してもよい。
【０１７２】
第２ユーザＵｂの買電条件は、第１ユーザＵａの第１ユーザ端末５０に表示してもよいし、表示しなくてもよい。あるいは、公開可能な情報か否かを条件毎にユーザにより指定できてもよい。公開可能に指定された条件が第１ユーザＵａの第１ユーザ端末５０に表示され、第１ユーザＵａが条件の中から選択して契約できてもよい。
【０１７３】
放電可能容量は、以下に例示されるが、これらに限定されない。
（ｇ１）その時点の第１ユーザＵａの蓄電池の実際の蓄電量
（ｇ２）第１ユーザＵａの自家消費電力を考慮して蓄電量から推定された放電可能容量
（ｇ３）第１ユーザＵａの売買希望容量（実際の蓄電量より大きくてもよい）
【０１７４】
（ｇ３）で、売買希望容量（または契約電力量）が実際の蓄電量より大きい場合は、放電と充電を複数回繰り返しながらトータルで契約電力量を放電すればよい。また、後述の式（１）で算出される単位時間当たりの放電量が小さく、売買希望容量（または契約電力量）を放電するのに時間がかかる場合には、放電を複数回に分けて行い、放電と放電の間に、蓄電池の充電を行うこともできる。そのようにすると、放電可能容量を増やすこともできる。
【０１７５】
充電可能容量は、以下に例示されるが、これらに限定されない。
（ｈ１）その時点の第２ユーザＵｂの蓄電池の実際の空き容量
（ｈ２）第１ユーザＵａの自家消費電力を考慮して蓄電量から推定された充電可能容量
（ｈ３）第２ユーザＵｂの売買希望容量（実際の空き容量より大きくてもよい）
（ｈ３）の場合、放電と充電を複数回繰り返しながらトータルで契約電力量を充電すればよい。
【０１７６】
放電可能容量および充電可能容量は、図６の蓄電池状態情報記憶部１１４に記憶される。
【０１７７】
ここで、第１ユーザＵａまたは第２ユーザＵｂの蓄電池は、電力系統４０に充放電する以外に、各ユーザの負荷に電力を供給することが考えられる。単位時間当たりの負荷による消費電力量を自家消費電力と呼ぶ。したがって、放電可能容量は、第１ユーザＵａの蓄電池に蓄電されている電力容量分（蓄電量と呼ぶ）を確保できない可能性がある。一方、充電可能容量は、第２ユーザＵｂの蓄電池の空き容量より多くできる可能性もある。
【０１７８】
そこで、本実施形態では、ユーザの自家消費電力を考慮して、放電可能容量または充電可能容量を推定する構成を有する。
【０１７９】
受信部１０４は、第１ユーザＵａの蓄電池の定格出力および蓄電量を示す蓄電池情報を受信する。
制御部１３０は、第１ユーザＵａの蓄電池の蓄電池情報に基づいて、第１蓄電池の放電可能容量を推定する。すなわち、制御部１３０は推定手段（不図示）の機能をさらに有する。
表示部１０８は、推定された第１ユーザＵａの蓄電池の放電可能容量を、第１ユーザ端末５０および第２ユーザ端末６０の少なくとも一方に（たとえば、図１３の電力取引画面２３０）表示させる。
【０１８０】
また、推定された放電可能容量は、制御部１３０による電力移動の可否判定にも用いられてよい。
【０１８１】
以下、放電可能容量の推定方法について説明する。
第１ユーザＵａの蓄電池から電力系統４０に単位時間当たりに実際に放電できる放電量は、下記の式（１）により算出される。
単位時間当たりの放電量＝蓄電池の定格出力−自家消費電力  ・・式（１）
【０１８２】
契約時点の蓄電池の蓄電量から定格出力で放電した場合の放電時間に式（１）の単位時間当たりの放電量を乗ずると、下記の式（２）により放電可能容量が算出される。
放電可能容量＝蓄電量×(定格出力−自家消費電力)／定格出力 ・・式（２）
【０１８３】
受信部１０４は、第１ユーザＵａの蓄電池の単位時間当たりの自家消費電力量、蓄電池の定格出力に関する蓄電池情報をＨＥＭＳ２６またはＥＭＳ２４から受信する。
蓄電池情報は、少なくとも蓄電池の単位時間当たりの自家消費電力量と蓄電池の定格出力を含む。
なお、単位時間当たりの自家消費電力量は、第１ユーザＵａの自家消費電力の履歴情報を蓄積し、たとえば、月毎の１日の時間帯毎の平均的な消費電力量を算出しておいたものを用いることができる。
そして、制御部１３０は、上記式（２）を用いて放電可能容量を算出する。
【０１８４】
このようにして算出された放電可能容量は、図６の蓄電池状態情報記憶部１１４に記憶され、さらに、表示部１０８により読み出されて図１３の電力取引画面２３０の放電可能容量表示部２３２に表示されてよい。上述したように、放電可能容量は、（ｇ１）〜（ｇ３）の複数の値のうち少なくとも一つを表示する。複数の値を表示してもよく、その場合、どの値が表示されているかを示す情報を合わせて表示するのが好ましい。
【０１８５】
上記（ｆ５）の放電完了時刻（または時間）および上記（ｆ６）の充電完了時刻（または時間）について、以下説明する。
放電（充電）完了時刻は、（ｉ１）各ユーザが放電（または充電）の開始時刻を設定する場合、（ｉ２）契約成立後に自動的に放電（または充電）を開始する場合、（ｉ３）充放電を複数回に分けて実行する場合、等により、算出方法が異なる。
まず、制御部１３０は、放電（または充電）を連続して行う場合に放電（または充電）にかかる時間を算出する。すなわち、制御部１３０は算出手段に相当する。
【０１８６】
また、放電可能容量と同様に充電可能容量も推定可能である。ここでは詳細な説明は省略する。
【０１８７】
受信部１０４は、第１ユーザＵａの蓄電池の単位時間当たりの放電能力および第２ユーザＵｂの蓄電池の単位時間当たりの充電能力の少なくとも一方を示す情報を受信する。
制御部１３０は、第１ユーザＵａの蓄電池の放電能力および第２ユーザＵｂの蓄電池の充電能力の少なくとも一方を示す情報に基づいて、第１ユーザＵａの蓄電池が契約電力量の放電を完了するのにかかる放電所要時間および、第２ユーザＵｂの蓄電池が契約電力量の充電を完了するのにかかる充電所要時間の少なくとも一方を算出する。
【０１８８】
蓄電池の単位時間当たりの放電（または充電）能力は、自家消費される電力がある場合とない場合で異なる。たとえば、自家消費される電力がない場合は、蓄電池の定格出力が単位時間当たりの放電容量となる。自家消費される電力がある場合は、上記の式（１）により単位時間当たりの放電容量は求められる。
また、充電能力については、たとえば、受信部１０４は、蓄電池の定格電流の何割の電流で充電するかを示す情報を取得し、その情報に基づいて、制御部１３０は単位時間当たりの充電容量を算出できる。
【０１８９】
そして、制御部１３０は、契約電力量を算出された単位時間当たりの放電（または充電）容量で除して、放電（または充電）にかかる所要時間を算出する。算出された所要時間は、充放電情報記憶部１２２に記憶されてもよい。
【０１９０】
（ｉ１）の場合、制御部１３０は、ユーザが設定した開始時刻と所要時間に基づいて、放電（または充電）完了予定時刻を算出する。（ｉ２）の場合、制御部１３０は、充放電制御を開始した時刻と所要時間に基づいて、放電（または充電）完了予定時刻を算出する。
【０１９１】
（ｉ３）の場合、制御部１３０は、放電および充電を実行する時刻のスケジュールを以下の充放電制御の条件に従って作成し、スケジュールに従い、放電（または充電）の実行予定時間が、所要時間に達する時刻を算出し、放電（または充電）完了予定時刻とする。
【０１９２】
蓄電池の充放電制御の条件は以下に例示されるが、これらに限定されない。また、複数の条件を組み合わせて（論理和または論理積）もよい。
（ｊ１）放電側の蓄電池の蓄電量が第１閾値未満の場合、放電側の蓄電池の放電を停止し、充電を行う
（ｊ２）電力系統４０の電力単価が第１の所定の金額より低い場合、放電側の蓄電池の放電を停止し、充電を行う
（ｊ３）電力系統４０の電力単価が第２の所定の金額より高い場合、放電側の蓄電池で放電を行う
（ｊ４）放電側の蓄電池の単位時間当たりの放電量（蓄電池の定格出力−自家消費電力）が第２閾値未満の場合（または自家消費電力が所定値以上の場合）、放電側の蓄電池の放電を停止し、充電を行う
（ｊ５）第２ユーザＵｂ（または第１ユーザＵａ）が指定する時間帯に（契約に基づき）放電側の蓄電池で放電を行い、充電側の蓄電池で充電を行う
（ｊ６）充電側の蓄電池の空き容量が第３閾値未満の場合、充電側の蓄電池の充電を停止し、負荷３８に供給（放電）する
（ｊ７）充電側の蓄電池の空き容量が第４閾値以上の場合、充電側の蓄電池で充電を行う
【０１９３】
また、契約後に、第１ユーザＵａまたは第２ユーザＵｂの蓄電池等の不具合等により、契約電力量分の充放電ができない場合が考えられる。
そこで、制御部１３０は、契約電力量の電力の移動が完了したと判断されたときに、契約条件と蓄電池の実際の放電内容とに基づいて決定されるインセンティブを示す情報を第１ユーザ端末５０に出力する。
【０１９４】
インセンティブの決定方法は以下に例示されるが、これらに限定されない。以下を複数組み合わせてもよい。
（ｋ１）所定の時刻（放電完了予定時刻または放電完了希望時刻等）までの放電量が契約電力量より少ない場合、不足分に応じてインセンティブを減らす。
（ｋ２）放電完了時刻が、所定の時刻（放電完了予定時刻または放電完了希望時刻等）より遅れた場合、遅延時間に応じてインセンティブを減らす。
【０１９５】
インセンティブを示す情報の出力方法は、上記実施形態と同様であり、取引確認画面２９０（図２２（ｂ））への表示、ポップアップ表示、通知欄への通知、バナー表示、バッチ表示、所定の宛先へのメッセージ送信、サウンド出力、およびバイブレーション出力等、様々な出力方法の少なくとも一つまたは複数の組み合わせによって情報を出力してよい。
【０１９６】
本実施形態によれば、上記実施形態と同様な効果を奏する。
さらに、上記したように、本実施形態によれば、電力移動が可能か否かの判定を行い、たとえば、移動が可能な場合に表示部１０８により契約を成立するための画面が表示される。よって、電力移動が可能でないと判定された場合は、契約を進めることができないので、履行不可能な契約が結ばれることがない。
【０１９７】
また、各ユーザの蓄電池が充放電可能な電力量の範囲や、充放電にかかる所要時間等を算出して契約時にユーザに提示できるので、ユーザは売買される電力の移動時間等を事前に知ることができる。さらに、現在の蓄電池間の電力移動の状況がリアルタイムに更新しながら表示されるので、各ユーザは、蓄電池間の電力の移動状況をリアルタイムに知ることができる。蓄電池の充放電には時間がかかることがあるので、都度蓄電池の状況を確認できると利便性がよい。
【０１９８】
以上、図面を参照して本発明の実施形態について述べたが、これらは本発明の例示であり、上記以外の様々な構成を採用することもできる。
たとえば、第２ユーザＵｂにおいて、第１ユーザＵａから購入した電力を蓄電池に充電するのでなく負荷３８により消費する構成について以下説明する。
この構成では、サーバ１０の制御部１３０は、第２ユーザＵｂの第２電力システム３０に、充電制御指示を行わない。そして、電力会社に対し、第２ユーザＵｂが第１ユーザＵａから購入した契約電力量の情報を送信する。電力会社のサーバは、スマートメータＳＭｂから収集した第２ユーザＵｂの消費電力量から契約電力量を減算し、その結果に基づいて、電気料金の算出を行う。
【０１９９】
また、受信部１０４は、第２電力システム３０の蓄電池の充電量を受信する代わりに、契約成立後に第１電力システム２０から放電が開始された後から、スマートメータＳＭｂの計測値を受信し、充放電量記憶部１２４に充電量計測値として記憶する。そして、制御部１３０は、計測値の積算値を算出し、積算値が契約電力量になるまで積算を続ける。制御部１３０は、算出された積算値を充電済み電力量として充放電量情報記憶部１２６に記憶する。表示部１０８は、充電済み電力量を充放電量情報記憶部１２６から読み出して画面表示する。
【０２００】
判断部１０６は、積算値が契約電力量に等しくなった時、第１ユーザＵａの第１電力システム２０から第２ユーザＵｂの第２電力システム３０に契約電力量の電力の移動が完了したと判断してもよい。
【０２０１】
以上、実施形態および実施例を参照して本願発明を説明したが、本願発明は上記実施形態および実施例に限定されるものではない。本願発明の構成や詳細には、本願発明のスコープ内で当業者が理解し得る様々な変更をすることができる。
なお、本発明において利用者に関する情報を取得、利用する場合は、これを適法に行うものとする。
【０２０２】
上記の実施形態の一部または全部は、以下の付記のようにも記載されうるが、以下に限られない。
１．  第１蓄電池を有していて電力の売り手となる第１ユーザと、第２蓄電池を有していて前記電力の買い手となる第２ユーザと、の間で売買される契約電力量を含む契約情報を取得する取得手段と、
前記第１蓄電池から前記第２蓄電池に電力を移動させたときの、前記第１蓄電池の放電量および前記第２蓄電池の放電充電量の少なくとも一方に関する充放電情報を受信する受信手段と、
前記充放電情報を用いて、前記契約電力量の電力の移動が完了したか否かを判断する判断手段と、
前記取得手段が取得した前記契約情報を、前記第１ユーザの端末および前記第２ユーザの端末の少なくとも一方に表示させ、かつ、前記契約電力量の電力の移動が完了したと判断されたときに、その旨を示す情報を前記第１ユーザの端末および前記第２ユーザの端末の少なくとも一方に表示させる表示手段と、
を備える情報処理装置。
２．  １．に記載の情報処理装置において、
前記受信手段は、前記第１蓄電池の放電量を測定する測定装置および前記第２蓄電池の充電量を測定する測定装置の少なくとも一方から前記放電量および前記充電量の少なくとも一方を示す充放電情報を受信する情報処理装置。
３．  １．または２．に記載の情報処理装置において、
前記第１蓄電池から前記第２蓄電池への前記契約電力量の電力の移動が可能か否かを判定する可否判定手段を備え、
前記電力の移動が可能と判定された場合に、前記表示手段は、前記第１ユーザの端末および前記第２ユーザの端末の少なくとも一方に、前記契約情報に基づく契約成立を確定する契約画面を表示させる情報処理装置。
４．  １．から３．いずれか一つに記載の情報処理装置において、
前記受信手段は、前記第１蓄電池の単位時間当たりの自家消費電力量、および前記第１蓄電池の定格出力および蓄電量を示す蓄電池情報をさらに受信し、
前記第１蓄電池の前記自家消費電力量、および前記蓄電池情報に基づいて、前記第１蓄電池の放電可能容量を推定する推定手段をさらに備え、
前記表示手段は、推定された前記第１蓄電池の前記放電可能容量を、前記第１ユーザの端末および前記第２ユーザの端末の少なくとも一方に表示させる情報処理装置。
５．  ３．または４．に記載の情報処理装置において、
前記可否判定手段は、前記第１蓄電池の放電可能容量が売買希望容量よりも大きい場合に、前記契約電力量の電力の移動が可能であると判定する情報処理装置。
６．  ３．から５．いずれか一つに記載の情報処理装置において、
前記可否判定手段は、前記第２蓄電池の充電可能容量が売買希望容量よりも大きい場合に、前記契約電力量の電力の移動が可能であると判定する情報処理装置。
７．  ３．から６．いずれか一つに記載の情報処理装置において、
前記契約画面において契約成立が確定すると、前記第１蓄電池および前記第２蓄電池を制御する充放電制御装置に、前記契約情報に従い、充放電の開始を指示する制御手段をさらに備える情報処理装置。
８．  ３．から７．いずれか一つに記載の情報処理装置において、
前記受信手段は、前記第１蓄電池の単位時間当たりの放電能力および前記第２蓄電池の単位時間当たりの充電能力の少なくとも一方を示す情報を受信し、
前記第１蓄電池の前記放電能力および前記第２蓄電池の前記充電能力の少なくとも一方を示す情報に基づいて、前記第１蓄電池が前記契約電力量の放電を完了するのにかかる放電所要時間および、前記第２蓄電池が前記契約電力量の充電を完了するのにかかる充電所要時間の少なくとも一方を算出する所要時間算出手段をさらに備え、
前記表示手段は、算出された前記放電所要時間および前記充電所要時間の少なくとも一方を、前記第１ユーザの端末および前記第２ユーザの端末の少なくとも一方に表示させる情報処理装置。
９．  １．から８．いずれか一つに記載の情報処理装置において、
前記受信手段により受信した前記充放電情報に基づいて、前記第１蓄電池から前記第２蓄電池に移動済みの電力量が前記契約電力量に占める割合を算出する算出手段をさらに備え、
前記表示手段は、前記第１ユーザの端末および前記第２ユーザの端末の少なくとも一方に、前記移動済みの電力量が前記契約電力量に占める割合を示す情報を表示させる情報処理装置。
１０．  ９．に記載の情報処理装置において、
前記表示手段は、前記第１ユーザの端末に、前記第１蓄電池の前記放電量が前記契約電力量に占める割合を示す情報を表示させ、かつ、前記第２ユーザの端末に、前記第２蓄電池の充電量が前記契約電力量に占める割合を示す情報を表示させる情報処理装置。
１１．  ９．または１０．に記載の情報処理装置において、
前記表示手段は、前記第１ユーザの端末および前記第２ユーザの端末の少なくとも一方に、前記第１蓄電池の前記放電量が前記契約電力量に占める割合を示す情報を表示させる情報処理装置。
１２．  ９．から１１．いずれか一つに記載の情報処理装置において、
前記表示手段は、前記第１ユーザの端末および前記第２ユーザの端末の少なくとも一方に、前記第２蓄電池の前記充電量が前記契約電力量に占める割合を示す情報を表示させる情報処理装置。
１３．  １．から１２．いずれか一つに記載の情報処理装置において、
前記判断手段は、前記第２蓄電池の前記充電量を示す情報を用いて前記契約電力量の電力の移動が完了したか否かを判断する情報処理装置。
１４．  １．から１３．いずれか一つに記載の情報処理装置において、
前記判断手段は、前記第１蓄電池の前記放電量を示す情報を用いて前記契約電力量の電力の移動が完了したか否かを判断する情報処理装置。
１５．  １．から１４．いずれか一つに記載の情報処理装置において、
前記契約電力量の電力の移動が完了したと判断されると、前記電力の売買の対価として、前記第１ユーザに付与されるインセンティブを示す情報を出力する出力手段をさらに備える情報処理装置。
１６．  １．から１５．いずれか一つに記載の情報処理装置において、
前記受信手段は、前記第１蓄電池の充放電の状況を示す情報を受信し、
前記第１蓄電池が放電停止中の場合、前記表示手段は、前記第１ユーザの端末および前記第２ユーザの端末のいずれか一方に、前記第１蓄電池からの放電が停止中であることを示す情報を表示させる情報処理装置。
【０２０３】
１７．  情報処理装置が、
第１蓄電池を有していて電力の売り手となる第１ユーザと、第２蓄電池を有していて前記電力の買い手となる第２ユーザと、の間で売買される契約電力量を含む契約情報を取得し、
前記第１蓄電池から前記第２蓄電池に電力を移動させたときの、前記第１蓄電池の放電量および前記第２蓄電池の充電量の少なくとも一方に関する充放電情報を受信し、
前記充放電情報を用いて、前記契約電力量の電力の移動が完了したか否かを判断し、
取得した前記契約情報を、前記第１ユーザの端末および前記第２ユーザの端末の少なくとも一方に表示させ、かつ、前記契約電力量の電力の移動が完了したと判断されたときに、その旨を示す情報を前記第１ユーザの端末および前記第２ユーザの端末の少なくとも一方に表示させる、情報処理方法。
１８．  １７．に記載の情報処理方法において、
前記情報出力装置が、
前記第１蓄電池の放電量を測定する測定装置および前記第２蓄電池の充電量を測定する測定装置の少なくとも一方から前記放電量および前記充電量の少なくとも一方を示す充放電情報を受信する情報処理方法。
１９．  １７．または１８．に記載の情報処理方法において、
前記情報出力装置が、
前記第１蓄電池から前記第２蓄電池への前記契約電力量の電力の移動が可能か否かを判定し、
前記電力の移動が可能と判定された場合に、前記第１ユーザの端末および前記第２ユーザの端末の少なくとも一方に、前記契約情報に基づく契約成立を確定する契約画面を表示させる情報処理方法。
２０．  １７．から１９．いずれか一つに記載の情報処理方法において、
前記情報出力装置が、
前記第１蓄電池の単位時間当たりの自家消費電力量、および前記第１蓄電池の定格出力および蓄電量を示す蓄電池情報をさらに受信し、
前記第１蓄電池の前記自家消費電力量、および前記蓄電池情報に基づいて、前記第１蓄電池の放電可能容量を推定し、
推定された前記第１蓄電池の前記放電可能容量を、前記第１ユーザの端末および前記第２ユーザの端末の少なくとも一方に表示させる情報処理方法。
２１．  １９．または２０．に記載の情報処理方法において、
前記情報出力装置が、
前記第１蓄電池の放電可能容量が売買希望容量よりも大きい場合に、前記契約電力量の電力の移動が可能であると判定する情報処理方法。
２２．  １９．から２１．いずれか一つに記載の情報処理方法において、
前記情報出力装置が、
前記第２蓄電池の充電可能容量が売買希望容量よりも大きい場合に、前記契約電力量の電力の移動が可能であると判定する情報処理方法。
２３．  １９．から２２．いずれか一つに記載の情報処理方法において、
前記情報出力装置が、
前記契約画面において契約成立が確定すると、前記第１蓄電池および前記第２蓄電池を制御する充放電制御装置に、前記契約情報に従い、充放電の開始を指示する情報処理方法。
２４．  １９．から２３．いずれか一つに記載の情報処理方法において、
前記情報出力装置が、
前記第１蓄電池の単位時間当たりの放電能力および前記第２蓄電池の単位時間当たりの充電能力の少なくとも一方を示す情報を受信し、
前記第１蓄電池の前記放電能力および前記第２蓄電池の前記充電能力の少なくとも一方を示す情報に基づいて、前記第１蓄電池が前記契約電力量の放電を完了するのにかかる放電所要時間および、前記第２蓄電池が前記契約電力量の充電を完了するのにかかる充電所要時間の少なくとも一方を算出し、
算出された前記放電所要時間および前記充電所要時間の少なくとも一方を、前記第１ユーザの端末および前記第２ユーザの端末の少なくとも一方に表示させる情報処理方法。
２５．  １７．から２４．いずれか一つに記載の情報処理方法において、
前記情報出力装置が、
受信した前記充放電情報に基づいて、前記第１蓄電池から前記第２蓄電池に移動済みの電力量が前記契約電力量に占める割合を算出し、
前記第１ユーザの端末および前記第２ユーザの端末の少なくとも一方に、前記移動済みの電力量が前記契約電力量に占める割合を示す情報を表示させる情報処理方法。
２６．  ２５．に記載の情報処理方法において、
前記情報出力装置が、
前記第１ユーザの端末に、前記第１蓄電池の前記放電量が前記契約電力量に占める割合を示す情報を表示させ、かつ、前記第２ユーザの端末に、前記第２蓄電池の充電量が前記契約電力量に占める割合を示す情報を表示させる情報処理方法。
２７．  ２５．または２６．に記載の情報処理方法において、
前記情報出力装置が、
前記第１ユーザの端末および前記第２ユーザの端末の少なくとも一方に、前記第１蓄電池の前記放電量が前記契約電力量に占める割合を示す情報を表示させる情報処理方法。
２８．  ２５．から２７．いずれか一つに記載の情報処理方法において、
前記情報出力装置が、
前記第１ユーザの端末および前記第２ユーザの端末の少なくとも一方に、前記第２蓄電池の前記充電量が前記契約電力量に占める割合を示す情報を表示させる情報処理方法。
２９．  １７．から２８．いずれか一つに記載の情報処理方法において、
前記情報出力装置が、
前記第２蓄電池の前記充電量を示す情報を用いて前記契約電力量の電力の移動が完了したか否かを判断する情報処理方法。
３０．  １７．から２９．いずれか一つに記載の情報処理方法において、
前記情報出力装置が、
前記第１蓄電池の前記放電量を示す情報を用いて前記契約電力量の電力の移動が完了したか否かを判断する情報処理方法。
３１．  １７．から３０．いずれか一つに記載の情報処理方法において、
前記情報出力装置が、
前記契約電力量の電力の移動が完了したと判断されると、前記電力の売買の対価として、前記第１ユーザに付与されるインセンティブを示す情報を出力する情報処理方法。
３２．  １７．から３１．いずれか一つに記載の情報処理方法において、
前記情報出力装置が、
前記第１蓄電池の充放電の状況を示す情報を受信し、
前記第１蓄電池が放電停止中の場合、前記第１ユーザの端末および前記第２ユーザの端末のいずれか一方に、前記第１蓄電池からの放電が停止中であることを示す情報を表示させる情報処理方法。
【０２０４】
３３．  コンピュータに、
第１蓄電池を有していて電力の売り手となる第１ユーザと、第２蓄電池を有していて前記電力の買い手となる第２ユーザと、の間で売買される契約電力量を含む契約情報を取得する手順、
前記第１蓄電池から前記第２蓄電池に電力を移動させたときの、前記第１蓄電池の放電量および前記第２蓄電池の充電量の少なくとも一方に関する充放電情報を受信する手順、
前記充放電情報を用いて、前記契約電力量の電力の移動が完了したか否かを判断する手順、
取得した前記契約情報を、前記第１ユーザの端末および前記第２ユーザの端末の少なくとも一方に表示させ、かつ、前記契約電力量の電力の移動が完了したと判断されたときに、その旨を示す情報を前記第１ユーザの端末および前記第２ユーザの端末の少なくとも一方に表示させる手順を実行させるためのプログラム。
３４．  ３３．に記載のプログラムにおいて、
前記第１蓄電池の放電量を測定する測定装置および前記第２蓄電池の充電量を測定する測定装置の少なくとも一方から前記放電量および前記充電量の少なくとも一方を示す充放電情報を受信する手順をコンピュータに実行させるためのプログラム。
３５．  ３３．または３４．に記載のプログラムにおいて、
前記第１蓄電池から前記第２蓄電池への前記契約電力量の電力の移動が可能か否かを判定する手順、
前記電力の移動が可能と判定された場合に、前記第１ユーザの端末および前記第２ユーザの端末の少なくとも一方に、前記契約情報に基づく契約成立を確定する契約画面を表示させる手順をコンピュータに実行させるためのプログラム。
３６．  ３３．から３５．いずれか一つに記載のプログラムにおいて、
前記第１蓄電池の単位時間当たりの自家消費電力量、および前記第１蓄電池の定格出力および蓄電量を示す蓄電池情報をさらに受信する手順、
前記第１蓄電池の前記自家消費電力量、および前記蓄電池情報に基づいて、前記第１蓄電池の放電可能容量を推定する手順、
推定された前記第１蓄電池の前記放電可能容量を、前記第１ユーザの端末および前記第２ユーザの端末の少なくとも一方に表示させる手順をコンピュータに実行させるためのプログラム。
３７．  ３５．または３６．に記載のプログラムにおいて、
前記第１蓄電池の放電可能容量が売買希望容量よりも大きい場合に、前記契約電力量の電力の移動が可能であると判定する手順をコンピュータに実行させるためのプログラム。
３８．  ３５．から３７．いずれか一つに記載のプログラムにおいて、
前記第２蓄電池の充電可能容量が売買希望容量よりも大きい場合に、前記契約電力量の電力の移動が可能であると判定する手順をコンピュータに実行させるためのプログラム。
３９．  ３５．から３８．いずれか一つに記載のプログラムにおいて、
前記契約画面において契約成立が確定すると、前記第１蓄電池および前記第２蓄電池を制御する充放電制御装置に、前記契約情報に従い、充放電の開始を指示する手順をさらにコンピュータに実行させるためのプログラム。
４０．  ３５．から３９．いずれか一つに記載のプログラムにおいて、
前記第１蓄電池の単位時間当たりの放電能力および前記第２蓄電池の単位時間当たりの充電能力の少なくとも一方を示す情報を受信する手順、
前記第１蓄電池の前記放電能力および前記第２蓄電池の前記充電能力の少なくとも一方を示す情報に基づいて、前記第１蓄電池が前記契約電力量の放電を完了するのにかかる放電所要時間および、前記第２蓄電池が前記契約電力量の充電を完了するのにかかる充電所要時間の少なくとも一方を算出する手順、
算出された前記放電所要時間および前記充電所要時間の少なくとも一方を、前記第１ユーザの端末および前記第２ユーザの端末の少なくとも一方に表示させる手順をさらにコンピュータに実行させるためのプログラム。
４１．  ３３．から４０．いずれか一つに記載のプログラムにおいて、
受信した前記充放電情報に基づいて、前記第１蓄電池から前記第２蓄電池に移動済みの電力量が前記契約電力量に占める割合を算出する手順、
前記第１ユーザの端末および前記第２ユーザの端末の少なくとも一方に、前記移動済みの電力量が前記契約電力量に占める割合を示す情報を表示させる手順をさらにコンピュータに実行させるためのプログラム。
４２．  ４１．に記載のプログラムにおいて、
前記第１ユーザの端末に、前記第１蓄電池の前記放電量が前記契約電力量に占める割合を示す情報を表示させ、かつ、前記第２ユーザの端末に、前記第２蓄電池の充電量が前記契約電力量に占める割合を示す情報を表示させる手順をコンピュータに実行させるためのプログラム。
４３．  ４１．または４２．に記載のプログラムにおいて、
前記第１ユーザの端末および前記第２ユーザの端末の少なくとも一方に、前記第１蓄電池の前記放電量が前記契約電力量に占める割合を示す情報を表示させる手順をコンピュータに実行させるためのプログラム。
４４．  ４１．から４３．いずれか一つに記載のプログラムにおいて、
前記第１ユーザの端末および前記第２ユーザの端末の少なくとも一方に、前記第２蓄電池の前記充電量が前記契約電力量に占める割合を示す情報を表示させる手順をコンピュータに実行させるためのプログラム。
４５．  ３３．から４４．いずれか一つに記載のプログラムにおいて、
前記第２蓄電池の前記充電量を示す情報を用いて前記契約電力量の電力の移動が完了したか否かを判断する手順をコンピュータに実行させるためのプログラム。
４６．  ３３．から４５．いずれか一つに記載のプログラムにおいて、
前記第１蓄電池の前記放電量を示す情報を用いて前記契約電力量の電力の移動が完了したか否かを判断する手順をコンピュータに実行させるためのプログラム。
４７．  ３３．から４６．いずれか一つに記載のプログラムにおいて、
前記契約電力量の電力の移動が完了したと判断されると、前記電力の売買の対価として、前記第１ユーザに付与されるインセンティブを示す情報を出力する手順をさらにコンピュータに実行させるためのプログラム。
４８．  ３３．から４７．いずれか一つに記載のプログラムにおいて、
前記第１蓄電池の充放電の状況を示す情報を受信する手順、
前記第１蓄電池が放電停止中の場合、前記第１ユーザの端末および前記第２ユーザの端末のいずれか一方に、前記第１蓄電池からの放電が停止中であることを示す情報を表示させる手順をさらにコンピュータに実行させるためのプログラム。
【０２０５】
この出願は、２０１６年８月３０日に出願された日本出願特願２０１６−１６７８７２号を基礎とする優先権を主張し、その開示の全てをここに取り込む。
【図１】
2018042787.tif 000003
【図２】
2018042787.tif 000004
【図３】
2018042787.tif 000005
【図４】
2018042787.tif 000006
【図５】
2018042787.tif 000007
【図６】
2018042787.tif 000008
【図７】
2018042787.tif 000009
【図８】
2018042787.tif 000010
【図９】
2018042787.tif 000011
【図１０】
2018042787.tif 000012
【図１１】
2018042787.tif 000013
【図１２】
2018042787.tif 000014
【図１３】
2018042787.tif 000015
【図１４】
2018042787.tif 000016
【図１５】
2018042787.tif 000017
【図１６】
2018042787.tif 000018
【図１７】
2018042787.tif 000019
【図１８】
2018042787.tif 000020
【図１９】
2018042787.tif 000021
【図２０】
2018042787.tif 000022
【図２１】
2018042787.tif 000023
【図２２】
2018042787.tif 000024
【図２３】
2018042787.tif 000025
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
第１蓄電池を有していて電力の売り手となる第１ユーザと、第２蓄電池を有していて前記電力の買い手となる第２ユーザと、の間で売買される契約電力量を含む契約情報を取得する取得手段と、
前記第１蓄電池から前記第２蓄電池に電力を移動させたときの、前記第１蓄電池の放電量および前記第２蓄電池の充電量の少なくとも一方に関する充放電情報を受信する受信手段と、
前記充放電情報を用いて、前記契約電力量の電力の移動が完了したか否かを判断する判断手段と、
前記取得手段が取得した前記契約情報を、前記第１ユーザの端末および前記第２ユーザの端末の少なくとも一方に表示させ、かつ、前記契約電力量の電力の移動が完了したと判断されたときに、その旨を示す情報を前記第１ユーザの端末および前記第２ユーザの端末の少なくとも一方に表示させる表示手段と、
を備える情報処理装置。
【請求項２】
請求項１に記載の情報処理装置において、
前記受信手段は、前記第１蓄電池の放電量を測定する測定装置および前記第２蓄電池の充電量を測定する測定装置の少なくとも一方から前記放電量および前記充電量の少なくとも一方を示す充放電情報を受信する情報処理装置。
【請求項３】
請求項１または２に記載の情報処理装置において、
前記第１蓄電池から前記第２蓄電池への前記契約電力量の電力の移動が可能か否かを判定する可否判定手段を備え、
前記電力の移動が可能と判定された場合に、前記表示手段は、前記第１ユーザの端末および前記第２ユーザの端末の少なくとも一方に、前記契約情報に基づく契約成立を確定する契約画面を表示させる情報処理装置。
【請求項４】
請求項１から３いずれか一項に記載の情報処理装置において、
前記受信手段は、前記第１蓄電池の単位時間当たりの自家消費電力量、および前記第１蓄電池の定格出力および蓄電量を示す蓄電池情報をさらに受信し、
前記第１蓄電池の前記自家消費電力量、および前記蓄電池情報に基づいて、前記第１蓄電池の放電可能容量を推定する推定手段をさらに備え、
前記表示手段は、推定された前記第１蓄電池の前記放電可能容量を、前記第１ユーザの端末および前記第２ユーザの端末の少なくとも一方に表示させる情報処理装置。
【請求項５】
請求項３または４に記載の情報処理装置において、
前記可否判定手段は、前記第１蓄電池の放電可能容量が売買希望容量よりも大きい場合に、前記契約電力量の電力の移動が可能であると判定する情報処理装置。
【請求項６】
請求項３から５いずれか一項に記載の情報処理装置において、
前記可否判定手段は、前記第２蓄電池の充電可能容量が売買希望容量よりも大きい場合に、前記契約電力量の電力の移動が可能であると判定する情報処理装置。
【請求項７】
請求項３から６いずれか一項に記載の情報処理装置において、
前記契約画面において契約成立が確定すると、前記第１蓄電池および前記第２蓄電池を制御する充放電制御装置に、前記契約情報に従い、充放電の開始を指示する制御手段をさらに備える情報処理装置。
【請求項８】
請求項３から７いずれか一項に記載の情報処理装置において、
前記受信手段は、前記第１蓄電池の単位時間当たりの放電能力および前記第２蓄電池の単位時間当たりの充電能力の少なくとも一方を示す情報を受信し、
前記第１蓄電池の前記放電能力および前記第２蓄電池の前記充電能力の少なくとも一方を示す情報に基づいて、前記第１蓄電池が前記契約電力量の放電を完了するのにかかる放電所要時間および、前記第２蓄電池が前記契約電力量の充電を完了するのにかかる充電所要時間の少なくとも一方を算出する所要時間算出手段をさらに備え、
前記表示手段は、算出された前記放電所要時間および前記充電所要時間の少なくとも一方を、前記第１ユーザの端末および前記第２ユーザの端末の少なくとも一方に表示させる情報処理装置。
【請求項９】
請求項１から８いずれか一項に記載の情報処理装置において、
前記受信手段により受信した前記充放電情報に基づいて、前記第１蓄電池から前記第２蓄電池に移動済みの電力量が前記契約電力量に占める割合を算出する算出手段をさらに備え、
前記表示手段は、前記第１ユーザの端末および前記第２ユーザの端末の少なくとも一方に、前記移動済みの電力量が前記契約電力量に占める割合を示す情報を表示させる情報処理装置。
【請求項１０】
請求項９に記載の情報処理装置において、
前記表示手段は、前記第１ユーザの端末に、前記第１蓄電池の前記放電量が前記契約電力量に占める割合を示す情報を表示させ、かつ、前記第２ユーザの端末に、前記第２蓄電池の充電量が前記契約電力量に占める割合を示す情報を表示させる情報処理装置。
【請求項１１】
請求項９または１０に記載の情報処理装置において、
前記表示手段は、前記第１ユーザの端末および前記第２ユーザの端末の少なくとも一方に、前記第１蓄電池の前記放電量が前記契約電力量に占める割合を示す情報を表示させる情報処理装置。
【請求項１２】
請求項９から１１いずれか一項に記載の情報処理装置において、
前記表示手段は、前記第１ユーザの端末および前記第２ユーザの端末の少なくとも一方に、前記第２蓄電池の前記充電量が前記契約電力量に占める割合を示す情報を表示させる情報処理装置。
【請求項１３】
請求項１から１２いずれか一項に記載の情報処理装置において、
前記判断手段は、前記第２蓄電池の前記充電量を示す情報を用いて前記契約電力量の電力の移動が完了したか否かを判断する情報処理装置。
【請求項１４】
請求項１から１３いずれか一項に記載の情報処理装置において、
前記判断手段は、前記第１蓄電池の前記放電量を示す情報を用いて前記契約電力量の電力の移動が完了したか否かを判断する情報処理装置。
【請求項１５】
請求項１から１４いずれか一項に記載の情報処理装置において、
前記契約電力量の電力の移動が完了したと判断されると、前記電力の売買の対価として、前記第１ユーザに付与されるインセンティブを示す情報を出力する出力手段をさらに備える情報処理装置。
【請求項１６】
請求項１から１５いずれか一項に記載の情報処理装置において、
前記受信手段は、前記第１蓄電池の充放電の状況を示す情報を受信し、
前記第１蓄電池が放電停止中の場合、前記第１ユーザの端末および前記第２ユーザの端末のいずれか一方に、前記第１蓄電池からの放電が停止中であることを示す情報を表示させる情報処理装置。
【請求項１７】
情報処理装置が、
第１蓄電池を有していて電力の売り手となる第１ユーザと、第２蓄電池を有していて前記電力の買い手となる第２ユーザと、の間で売買される契約電力量を含む契約情報を取得し、
前記第１蓄電池から前記第２蓄電池に電力を移動させたときの、前記第１蓄電池の放電量および前記第２蓄電池の充電量の少なくとも一方に関する充放電情報を受信し、
前記充放電情報を用いて、前記契約電力量の電力の移動が完了したか否かを判断し、
取得した前記契約情報を、前記第１ユーザの端末および前記第２ユーザの端末の少なくとも一方に表示させ、かつ、前記契約電力量の電力の移動が完了したと判断されたときに、その旨を示す情報を前記第１ユーザの端末および前記第２ユーザの端末の少なくとも一方に表示させる、情報処理方法。
【請求項１８】
コンピュータに、
第１蓄電池を有していて電力の売り手となる第１ユーザと、第２蓄電池を有していて前記電力の買い手となる第２ユーザと、の間で売買される契約電力量を含む契約情報を取得する手順、
前記第１蓄電池から前記第２蓄電池に電力を移動させたときの、前記第１蓄電池の放電量および前記第２蓄電池の充電量の少なくとも一方に関する充放電情報を受信する手順、
前記充放電情報を用いて、前記契約電力量の電力の移動が完了したか否かを判断する手順、
取得した前記契約情報を、前記第１ユーザの端末および前記第２ユーザの端末の少なくとも一方に表示させ、かつ、前記契約電力量の電力の移動が完了したと判断されたときに、その旨を示す情報を前記第１ユーザの端末および前記第２ユーザの端末の少なくとも一方に表示させる手順を実行させるためのプログラム。
【国際調査報告】
2018042787.tif 000026
2018042787.tif 000027
2018042787.tif 000028
2018042787.tif 000029